(57)【要約】ニューラルネットワークの新規なニューロン間接続を提供する。ニューラルネットワークが有するパーセプトロンは、複数のニューロンを有し、ニューロンはシナプス回路と、活性化関数回路とを有し、シナプス回路は複数のメモリセルを有している。メモリセルを選択するアドレス情報によって選択するビット線を複数のパーセプトロンで共有する。メモリセルには、アナログ信号が重み係数として与えられ、シナプス回路には、入力信号が与えられる。メモリセルは、入力信号に重み係数を乗算し、乗算結果を第１の電流に変換する。シナプス回路は、複数の第１の電流を加算し第２の電流を生成し、第２の電流を第１の電位に変換する。活性化関数回路は、第１の電位をランプ関数によって第２の電位に変換し、次段のパーセプトロンが有するシナプス回路の入力信号として第２の電位を与える半導体装置。
2018189619.tif 000002
【特許請求の範囲】
【請求項１】
ニューラルネットワークを有する半導体装置において、
前記ニューラルネットワークは、多層のパーセプトロンと、ローデコーダと、カラムデコーダと、を有し、
前記パーセプトロンは、複数のニューロンを有し、
前記ニューロンは、シナプス回路と、活性化関数回路と、を有し、
前記シナプス回路は、複数のメモリセルを有し、
前記カラムデコーダは、前記メモリセルを選択するアドレス情報が前記パーセプトロンごとに異なる機能を有し、
前記ローデコーダは、前記メモリセルを選択するアドレス情報によって選択するビット線を複数の前記パーセプトロンで共有する機能を有し、
前記メモリセルには、アナログ信号の重み係数が与えられ、
前記シナプス回路には、アナログ信号の入力信号が与えられ、
前記メモリセルは、前記入力信号に前記重み係数を乗算する機能を有し、
前記メモリセルは、前記乗算された結果を第１の電流に変換する機能を有し、
前記シナプス回路は、複数の前記第１の電流を加算し第２の電流を生成する機能を有し、
前記シナプス回路は、前記第２の電流を第１の電位に変換する機能を有し、
前記活性化関数回路は、前記第１の電位をランプ関数によって第２の電位に変換する機能を有し、
次段の前記ニューロンが有する前記シナプス回路は、前記第２の電位が前記入力信号として与えられることを特徴とする半導体装置。
【請求項２】
請求項１において、
前記シナプス回路は、さらに信号線ＷＤ、信号線ＷＷ、信号線ＳＬ、信号線ＲＷ、及び配線ＣＯＭを有し、
前記メモリセルは、第１のトランジスタ、第２のトランジスタ、及び第１の容量素子を有し、
前記メモリセルは、前記信号線ＷＤ、前記信号線ＷＷ、前記信号線ＳＬ、前記信号線ＲＷ、及び前記配線ＣＯＭが電気的に接続され、
前記第１のトランジスタのゲートは、前記信号線ＷＷと電気的に接続され、
前記第１のトランジスタのソース又はドレインの一方は、前記信号線ＷＤと電気的に接続され、
前記第１のトランジスタのソース又はドレインの他方は、前記第２のトランジスタのゲートと、前記第１の容量素子の電極の一方と、に電気的に接続され、
前記第２のトランジスタのソース又はドレインの一方は、前記信号線ＳＬと電気的に接続され、
前記第２のトランジスタのソース又はドレインの他方は、前記配線ＣＯＭと電気的に接続され、
前記第１の容量素子の電極の他方は、前記信号線ＲＷと電気的に接続され、
第１のノードは、前記第２のトランジスタのゲート、前記第１のトランジスタのソース又はドレインの他方、及び前記第１の容量素子の電極の一方が接続されることで形成され、
前記第１のノードは、前記重み係数を重み電位として記憶する機能を有し、
前記信号線ＲＷは、前記入力信号を前記第１の容量素子の電極の他方に与える機能を有し、
前記第１のノードは、前記第１の容量素子を介して前記重み電位に前記入力信号が加えられることで第３の電位に変化する機能を有し、
前記第２のトランジスタのゲートには、前記第３の電位が与えられ、
前記第２のトランジスタは、前記第３の電位に応じた前記第１の電流を流す機能を有し、
前記第２のトランジスタは、前記入力信号に前記重み係数を乗算し前記第１の電流に変換する機能を有することを特徴とする半導体装置。
【請求項３】
請求項１または請求項２において、
前記シナプス回路は、さらに、列出力回路を有し、
前記列出力回路は、アナログ加算回路、第１の出力端子、及び配線ＯＲＥＦを有し、
前記アナログ加算回路は、電流電圧変換回路、オフセット回路、及び第１のソースフォロワ回路を有し、
前記電流電圧変換回路は、第１の端子と、第２の端子と、を有し、
前記オフセット回路は、第２の容量素子と、第３のトランジスタと、を有し、
前記第１のソースフォロワ回路は、第４のトランジスタと、第５のトランジスタと、を有し、
前記アナログ加算回路は、前記信号線ＳＬを介して複数の前記メモリセルと電気的に接続され、
前記第１の端子は、前記信号線ＳＬと、前記第２の容量素子の電極の一方とに電気的に接続され、
前記第２の端子は、前記配線ＯＲＥＦと電気的に接続され、
前記第２の容量素子の電極の他方は、前記第３のトランジスタのソース又はドレインの一方と、前記第４のトランジスタのゲートとに電気的に接続され、
前記第４のトランジスタのソース又はドレインの一方は、前記第５のトランジスタのソース又はドレインの一方と、前記第１の出力端子とに電気的に接続され、
第２のノードは、前記第２の容量素子の他方の電極と、前記第３のトランジスタのソース又はドレインの一方と、前記第４のトランジスタのゲートとが接続されることで形成され、
前記第２の電流は、前記信号線ＳＬに接続された複数の前記第２のトランジスタに流れる前記第１の電流を加算することで生成され、
前記電流電圧変換回路は、前記第２の電流が与えられることで前記第１の電位を生成し、
前記第２の容量素子の電極の一方には、前記第１の電位が与えられ、
前記第３のトランジスタは、前記第２のノードの電位を初期化する機能を有し、
前記第２のノードは、前記第３のトランジスタによって初期化された後、前記第２の容量素子の電極の一方に与えられた前記第１の電位を記憶する機能を有し、
前記第１のソースフォロワ回路は、前記第１の電位を第４の電位に変換する機能を有し、
前記第１の出力端子は、前記第４の電位を出力することを特徴とする半導体装置。
【請求項４】
請求項１において、
前記シナプス回路は、さらに、オフセット電流回路を有し、
前記オフセット電流回路は、電流吸込み回路、電流供給回路、信号線ＯＲＭ、信号線ＯＳＭ、信号線ＯＲＰ、信号線ＯＳＰ、及び配線ＶＤＤを有し、
前記電流吸込み回路は、第６のトランジスタ、第７のトランジスタ、第８のトランジスタ、及び第３の容量素子を有し、
前記電流供給回路は、第９のトランジスタ、第１０のトランジスタ、第１１のトランジスタ、及び第４の容量素子を有し、
前記電流吸込み回路、前記電流供給回路、及び前記電流電圧変換回路は、前記信号線ＳＬを介して複数の前記メモリセルと電気的に接続され、
前記信号線ＳＬは、前記第６のトランジスタのソース又はドレインの一方と、前記第９のトランジスタのソース又はドレインの一方とに電気的に接続され、
前記第６のトランジスタのソース又はドレインの一方は、さらに、前記第７のトランジスタのソース又はドレインの一方と電気的に接続され、
前記第６のトランジスタのゲートは、前記第３の容量素子の電極の一方と、前記第７のトランジスタのソース又はドレインの他方と、前記第８のトランジスタのソース又はドレインの一方とに電気的に接続され、
前記第８のトランジスタのソース又はドレインの他方は、前記配線ＣＯＭと、前記第６のトランジスタのソース又はドレインの他方と、前記第３の容量素子の電極の他方とに電気的に接続され、
前記第７のトランジスタのゲートは、前記配線ＯＳＰと電気的に接続され、
前記第８のトランジスタのゲートは、前記配線ＯＲＰと電気的に接続され、
前記第９のトランジスタのソース又はドレインの一方は、さらに、前記第１０のトランジスタのソース又はドレインの一方と電気的に接続され、
前記第９のトランジスタのゲートは、前記第４の容量素子の電極の一方と、前記第１０のトランジスタのソース又はドレインの他方と、前記第１１のトランジスタのソース又はドレインの一方とに電気的に接続され、
前記第１１のトランジスタのソース又はドレインの他方は、前記配線ＶＤＤと、前記第９のトランジスタのソース又はドレインの他方と、前記第４の容量素子の電極の他方とに電気的に接続され、
前記第１０のトランジスタのゲートは、前記配線ＯＳＭと電気的に接続され、
前記第１１のトランジスタのゲートは、前記配線ＯＲＭと電気的に接続されることを特徴とする半導体装置。
【請求項５】
請求項４において、
前記シナプス回路は、さらに、カレントミラー回路を有し、
前記カレントミラー回路は、信号線ＳＬに定電流を流す機能を有し、
前記信号線ＲＷには、初期電位が与えられ、
前記第１のノードには、前記重み電位が与えられ、
前記第２のトランジスタは、第１のノードに与えられた重み電位によってオフセット電流を出力する機能を有し、
前記電流供給回路は、前記オフセット電流をキャンセルするための電流を供給する機能を有し、
前記電流吸込み回路は、前記オフセット電流をキャンセルするための電流を吸い込む機能を有することを特徴とする半導体装置。
【請求項６】
請求項１において、
前記活性化関数回路は、第２のソースフォロワ回路、第２の出力端子、配線ＯＢＳ、配線ＮＢ１、及び配線ＶＤＤを有し、
前記第２のソースフォロワ回路は、第１２のトランジスタ、第１３のトランジスタ、及び第１４のトランジスタを有し、
前記第１２のトランジスタのゲートは、前記配線ＮＢ１と電気的に接続され、
前記第１３のトランジスタのゲートは、前記第１の出力端子と電気的に接続され、
前記第１４のトランジスタのゲートは、前記配線ＯＢＳと電気的に接続され、
前記第２の出力端子は、前記第１２のトランジスタのソース又はドレインの一方、前記第１３のトランジスタのソース又はドレインの一方、及び前記第１４のトランジスタのソース又はドレインの一方と電気的に接続され
前記第１２のトランジスタのソース又はドレインの他方は、前記配線ＣＯＭと電気的に接続され、
前記第１４のトランジスタのソース又はドレインの他方、及び前記第１３のトランジスタのソース又はドレインの他方は、前記配線ＶＤＤと電気的に接続され、
前記第２のソースフォロワ回路は、前記ランプ関数の機能を有し、
前記ランプ関数は、第１の出力範囲と、第２の出力範囲と、を有し、
前記第１２のトランジスタは、定電流を確保するための機能を有し、
前記第１４のトランジスタのゲートには、前記配線ＯＢＳを介して第５の電位が与えられ、
前記第１３のトランジスタのゲートには、前記第１の出力端子を介して前記第４の電位が与えられ、
前記第１の出力範囲では、前記第５の電位から前記第１４のトランジスタの第１の閾値電圧だけ低い前記第２の電位を前記第２の出力端子に出力し、
前記第２の出力範囲では、前記第４の電位から前記第１３のトランジスタの第２の閾値電圧だけ低い前記第２の電位を前記第２の出力端子に出力し、
前記活性化関数回路が次段の前記ニューロンが演算可能な前記第２の電位として出力することを特徴とする半導体装置。
【請求項７】
請求項１において、
前記活性化関数回路は、アナログ加算回路、前記配線ＯＲＥＦ、配線ＮＢ２、及び第３の出力端子を有し、
前記アナログ加算回路は、電流電圧変換回路、第５の容量素子、オフセット回路、及び比較回路を有し、
前記オフセット回路は、第１５のトランジスタを有し、
前記比較回路は、第３の端子と、第４の端子と、を有し、
前記第５の容量素子の電極の一方は、前記信号線ＳＬと電気的に接続され、
前記第５の容量素子の電極の他方は、前記第３の端子と電気的に接続され、
前記第４の端子は、前記配線ＮＢ２と電気的に接続され、
前記比較回路の出力は、前記第３の出力端子と電気的に接続され、
第３のノードは、前記第５の容量素子の他方の電極と、前記第１５のトランジスタのソース又はドレインの一方と、前記第３の端子とが接続されることで形成され、
前記配線ＮＢ２には、判定閾値電位が与えられ、
前記第２の電流は、前記信号線ＳＬに接続された複数の前記第２のトランジスタに流れる前記第１の電流を加算することで生成し、
前記電流電圧変換回路は、前記第２の電流が与えられることで前記第１の電位を生成し、
前記第５の容量素子の電極の一方には、前記第１の電位が与えられ、
前記第１５のトランジスタは、前記第３のノードの電位を初期化する機能を有し、
前記第３のノードは、前記第１５のトランジスタによって初期化された後、前記第５の容量素子の電極の一方に与えられた前記第１の電位を記憶する機能を有し、
前記比較回路は、前記第１の電位が前記判定閾値電位より大きいとき発火すると判定する機能を有し、
前記比較回路は、前記第１の電位が前記判定閾値電位より小さいとき発火しないと判定する機能を有し、
前記第３の出力端子は、発火すると判定されるとデジタル信号“Ｈ”を出力する機能を有し、
前記第３の出力端子は、発火しないと判定されるとデジタル信号“Ｌ”を出力する機能を有し、
発火の判定結果が次段の前記ニューロンが演算可能な前記第２の電位として出力することを特徴とする半導体装置。
【請求項８】
請求項３において、
前記電流電圧変換回路は、一つ又は複数の抵抗素子を有することを特徴とする半導体装置。
【請求項９】
請求項２において、
前記第１のトランジスタ、前記第３のトランジスタ、前記第４のトランジスタ、前記第５のトランジスタ、前記第７のトランジスタ、前記第８のトランジスタ、前記第１０のトランジスタ、前記第１１のトランジスタ、前記第１２のトランジスタ、前記第１３のトランジスタ、前記第１４のトランジスタ、又は前記第１５のトランジスタは、半導体層に金属酸化物を有する半導体装置。
【請求項１０】
請求項９において、
前記第１のトランジスタ、前記第３のトランジスタ、前記第４のトランジスタ、前記第５のトランジスタ、前記第７のトランジスタ、前記第８のトランジスタ、前記第１０のトランジスタ、前記第１１のトランジスタ、前記第１２のトランジスタ、前記第１３のトランジスタ、前記第１４のトランジスタ、又は前記第１５のトランジスタは、バックゲートを有することを特徴とする半導体装置。
【請求項１１】
請求項１の前記半導体装置と、
前記半導体装置に電気的に接続されたリードと、
を有することを特徴とする電子部品。
【請求項１２】
請求項１１に記載の前記電子部品と、
前記電子部品が設けられたプリント基板と、
前記プリント基板が格納された筐体と、
を有することを特徴とする電子機器。
【発明の詳細な説明】
【技術分野】
【０００１】  本発明の一態様は、半導体装置、電子部品、及び電子機器に関する。【０００２】  なお、本発明の一態様は、上記の技術分野に限定されない。本明細書等で開示する発明の一態様の技術分野は、物、方法、又は、製造方法に関する。特に、本発明の一態様は、半導体装置、表示装置、発光装置、蓄電装置、記憶装置、それらの駆動方法、又はそれらの製造方法に関する。【０００３】  なお、本明細書等において、半導体装置は、半導体特性を利用することで機能しうる素子、回路、又は装置等を指す。一例としては、トランジスタ、ダイオード等の半導体素子は半導体装置である。また別の一例としては、半導体素子を有する回路は、半導体装置である。また別の一例としては、半導体素子を有する回路を備えた装置は、半導体装置である。
【背景技術】
【０００４】  ＩｏＴ（Ｉｎｔｅｒｎｅｔ  ｏｆ  ｔｈｉｎｇｓ）、ＡＩ（Ａｒｔｉｆｉｃｉａｌ  Ｉｎｔｅｌｌｉｇｅｎｃｅ）などの情報技術の発展により、扱われるデータ量が増大の傾向を示している。電子機器がＩｏＴ、ＡＩなどの情報技術を利用するためには、データを大量に記憶することのできる半導体装置が求められている。さらに、電子機器を快適に使用するためには、高速に処理ができる半導体装置が求められている。【０００５】  特許文献１では、積和演算を行うデジタル回路において、メモリの使用方法により回路規模が削減された積和演算回路の構成について開示している。【０００６】  特許文献２では、メモリセルにおけるトランジスタのノードに蓄積された電荷量に応じて当該トランジスタの閾値電圧が異なることを利用して、多値データの記憶を行う構成について開示している。
【先行技術文献】
【特許文献】
【０００７】
【特許文献１】特開１９９７−３１９７３０号公報
【特許文献２】米国特許出願公開第２０１２／００３３４８８号明細書
【発明の概要】
【発明が解決しようとする課題】
【０００８】  ＩｏＴと、ＡＩと、を組み合わせた電子機器は、小型で軽量であることが求められている。また、電子機器で使用される電子部品は、狭スペースで収納できるように電子部品の小型化を求められている。よって、電子部品の小型化は、処理能力を下げずに回路規模を小さくする課題がある。また、電子部品は、小型化による低電力化の課題がある。【０００９】  ＡＩでは、様々な情報（画像、音声、ビッグデータなど）から機械学習により特徴の抽出に優れた検出効果を得ることができる。ＡＩはニューラルネットワークによって情報が処理されることが知られている。ニューラルネットワークは、多層パーセプトロンを有し、パーセプトロンは複数のニューロンを有している。ニューロンは、シナプスの機能を模した積和演算処理が知られている。積和演算回路は、複数の入力信号を重み係数で乗算した結果の総和を算出することが知られている。ただし、ニューロンの演算は、デジタル演算によって処理されるため、論理規模が大きくなる問題がある。又消費電力が論理規模の大きさと比例して大きくなる問題がある。【００１０】  上記問題に鑑み、本発明の一態様は、新規な構成の半導体装置を提供することを課題の一とする。又は、本発明の一態様は、ニューロンがアナログ信号を出力する半導体装置を提供することを課題の一とする。又は、本発明の一態様は、ニューロンの演算を低電力化させる半導体装置を提供することを課題の一とする。【００１１】  なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。【００１２】  なお本発明の一態様の課題は、上記列挙した課題に限定されない。上記列挙した課題は、他の課題の存在を妨げるものではない。なお他の課題は、以下の記載で述べる、本項目で言及していない課題である。本項目で言及していない課題は、当業者であれば明細書又は図面等の記載から導き出せるものであり、これらの記載から適宜抽出することができる。なお、本発明の一態様は、上記列挙した記載、及び／又は他の課題のうち、少なくとも一つの課題を解決するものである。
【課題を解決するための手段】
【００１３】  本発明の一態様は、ニューラルネットワークを有する半導体装置において、ニューラルネットワークは、多層のパーセプトロンと、ローデコーダと、カラムデコーダと、を有している。パーセプトロンは、複数のニューロンを有している。ニューロンは、シナプス回路と、活性化関数回路と、を有している。シナプス回路は、複数のメモリセルを有している。カラムデコーダは、メモリセルを選択するアドレス情報が前記パーセプトロンごとに異なる機能を有している。ローデコーダは、メモリセルを選択するアドレス情報によって選択するビット線を複数のパーセプトロンで共有する機能を有している。メモリセルには、アナログ信号の重み係数が与えられる。シナプス回路には、アナログ信号の入力信号が与えられる。メモリセルは、入力信号に重み係数を乗算する機能を有している。メモリセルは、乗算された結果を第１の電流に変換する機能を有している。シナプス回路は、複数の前記第１の電流を加算し第２の電流を生成する機能を有している。シナプス回路は、第２の電流を第１の電位に変換する機能を有している。活性化関数回路は、第１の電位をランプ関数によって第２の電位に変換する機能を有している。次段のニューロンが有するシナプス回路は、第２の電位が入力信号として与えられることを特徴とする半導体装置である。【００１４】  上記各構成において、シナプス回路は、さらに信号線ＷＤ、信号線ＷＷ、信号線ＳＬ、信号線ＲＷ、及び配線ＣＯＭを有している。メモリセルは、第１のトランジスタ、第２のトランジスタ、及び第１の容量素子を有している。メモリセルは、信号線ＷＤ、信号線ＷＷ、信号線ＳＬ、信号線ＲＷ、及び配線ＣＯＭに電気的に接続される。第１のトランジスタのゲートは、信号線ＷＷと電気的に接続される。第１のトランジスタのソース又はドレインの一方は、信号線ＷＤと電気的に接続される。第１のトランジスタのソース又はドレインの他方は、第２のトランジスタのゲートと、第１の容量素子の電極の一方と、に電気的に接続される。第２のトランジスタのソース又はドレインの一方は、信号線ＳＬと電気的に接続される。第２のトランジスタのソース又はドレインの他方は、配線ＣＯＭと電気的に接続される。第１の容量素子の電極の他方は、信号線ＲＷと電気的に接続される。第１のノードは、第２のトランジスタのゲート、第１のトランジスタのソース又はドレインの他方、及び第１の容量素子の電極の一方が接続されることで形成される。第１のノードは、重み係数を重み電位として記憶する機能を有している。信号線ＲＷは、入力信号を第１の容量素子の電極の他方に与える機能を有している。第１のノードは、第１の容量素子を介して重み電位に入力信号が加えられることで第３の電位に変化する機能を有している。第２のトランジスタのゲートには、第３の電位が与えられる。第２のトランジスタは、第３の電位に応じた第１の電流を流す機能を有している。第２のトランジスタは、入力信号に重み係数を乗算し第１の電流に変換する機能を有することを特徴とする半導体装置が好ましい。【００１５】  上記各構成において、シナプス回路は、さらに、列出力回路を有し、列出力回路は、アナログ加算回路、第１の出力端子、及び配線ＯＲＥＦを有している。アナログ加算回路は、電流電圧変換回路、オフセット回路、及び第１のソースフォロワ回路を有している。電流電圧変換回路は、第１の端子と、第２の端子と、を有している。オフセット回路は、第２の容量素子と、第３のトランジスタと、を有している。第１のソースフォロワ回路は、第４のトランジスタと、第５のトランジスタと、を有している。アナログ加算回路は、信号線ＳＬを介して複数のメモリセルと電気的に接続される。第１の端子は、信号線ＳＬと、第２の容量素子の電極の一方とに電気的に接続される。第２の端子は、配線ＯＲＥＦと電気的に接続される。第２の容量素子の電極の他方は、第３のトランジスタのソース又はドレインの一方と、第４のトランジスタのゲートとに電気的に接続される。第４のトランジスタのソース又はドレインの一方は、第５のトランジスタのソース又はドレインの一方と、第１の出力端子とに電気的に接続される。第２のノードは、第２の容量素子の他方の電極と、第３のトランジスタのソース又はドレインの一方と、第４のトランジスタのゲートとが接続されることで形成される。第２の電流は、信号線ＳＬに接続された複数の第２のトランジスタに流れる第１の電流を加算することで生成される。電流電圧変換回路は、第２の電流が与えられることで第１の電位を生成する。第２の容量素子の電極の一方には、第１の電位が与えられる。第３のトランジスタは、第２のノードの電位を初期化する機能を有している。第２のノードは、第３のトランジスタによって初期化された後、第２の容量素子の電極の一方に与えられた第１の電位を記憶する機能を有している。第１のソースフォロワ回路は、第１の電位を第４の電位に変換する機能を有している。第１の出力端子は、第４の電位を出力することを特徴とする半導体装置が好ましい。【００１６】  上記各構成において、シナプス回路は、さらに、オフセット電流回路を有している。オフセット電流回路は、電流吸込み回路、電流供給回路、信号線ＯＲＭ、信号線ＯＳＭ、信号線ＯＲＰ、信号線ＯＳＰ、及び配線ＶＤＤを有している。電流吸込み回路は、第６のトランジスタ、第７のトランジスタ、第８のトランジスタ、及び第３の容量素子を有している。電流供給回路は、第９のトランジスタ、第１０のトランジスタ、第１１のトランジスタ、及び第４の容量素子を有している。電流吸込み回路、電流供給回路、及び電流電圧変換回路は、信号線ＳＬを介して複数のメモリセルと電気的に接続される。信号線ＳＬは、第６のトランジスタのソース又はドレインの一方と、第９のトランジスタのソース又はドレインの一方とに電気的に接続される。第６のトランジスタのソース又はドレインの一方は、さらに、第７のトランジスタのソース又はドレインの一方と電気的に接続される。第６のトランジスタのゲートは、第３の容量素子の電極の一方と、第７のトランジスタのソース又はドレインの他方と、第８のトランジスタのソース又はドレインの一方とに電気的に接続される。第８のトランジスタのソース又はドレインの他方は、配線ＣＯＭと、第６のトランジスタのソース又はドレインの他方と、第３の容量素子の電極の他方とに電気的に接続される。第７のトランジスタのゲートは、配線ＯＳＰと���気的に接続される。第８のトランジスタのゲートは、配線ＯＲＰと電気的に接続される。第９のトランジスタのソース又はドレインの一方は、さらに、第１０のトランジスタのソース又はドレインの一方と電気的に接続される。第９のトランジスタのゲートは、第４の容量素子の電極の一方と、第１０のトランジスタのソース又はドレインの他方と、第１１のトランジスタのソース又はドレインの一方とに電気的に接続される。第１１のトランジスタのソース又はドレインの他方は、配線ＶＤＤと、第９のトランジスタのソース又はドレインの他方と、第４の容量素子の電極の他方とに電気的に接続される。第１０のトランジスタのゲートは、配線ＯＳＭと電気的に接続される。第１１のトランジスタのゲートは、配線ＯＲＭと電気的に接続されることを特徴とする半導体装置が好ましい。【００１７】  上記各構成において、シナプス回路は、さらに、カレントミラー回路を有している。カレントミラー回路は、信号線ＳＬに定電流を流す機能を有している。信号線ＲＷには、初期電位が与えられる。第１のノードには、重み電位が与えられる。第２のトランジスタは、第１のノードに与えられた重み電位によってオフセット電流を出力する機能を有している。電流供給回路は、オフセット電流をキャンセルするための電流を供給する機能を有している。電流吸込み回路は、オフセット電流をキャンセルするための電流を吸い込む機能を有することを特徴とする半導体装置が好ましい。【００１８】  上記各構成において、活性化関数回路は、第２のソースフォロワ回路、第２の出力端子、配線ＯＢＳ、配線ＮＢ１、及び配線ＶＤＤを有している。第２のソースフォロワ回路は、第１２のトランジスタ、第１３のトランジスタ、及び第１４のトランジスタを有している。第１２のトランジスタのゲートは、配線ＮＢ１と電気的に接続される。第１３のトランジスタのゲートは、第１の出力端子と電気的に接続される。第１４のトランジスタのゲートは、配線ＯＢＳと電気的に接続される。第２の出力端子は、第１２のトランジスタのソース又はドレインの一方、第１３のトランジスタのソース又はドレインの一方、及び第１４のトランジスタのソース又はドレインの一方と電気的に接続される。第１２のトランジスタのソース又はドレインの他方は、配線ＣＯＭと電気的に接続される。第１４のトランジスタのソース又はドレインの他方、及び第１３のトランジスタのソース又はドレインの他方は、配線ＶＤＤと電気的に接続される。第２のソースフォロワ回路は、ランプ関数の機能を有している。ランプ関数は、第１の出力範囲と、第２の出力範囲と、を有している。第１２のトランジスタは、定電流を確保するための機能を有している。第１４のトランジスタのゲートには、配線ＯＢＳを介して第５の電位が与えられる。第１３のトランジスタのゲートには、第１の出力端子を介して第４の電位が与えられる。第１の出力範囲では、第５の電位から第１３のトランジスタの第１の閾値電圧だけ低い第２の電位を第２の出力端子に出力する。第２の出力範囲では、第４の電位から第１３のトランジスタの第２の閾値電圧だけ低い第２の電位を第２の出力端子に出力する。活性化関数回路は、次段のニューロンが演算可能な第２の電位として出力することを特徴とする半導体装置が好ましい。【００１９】  上記各構成において、活性化関数回路は、アナログ加算回路、配線ＯＲＥＦ、配線ＮＢ２、及び第３の出力端子を有している。アナログ加算回路は、電流電圧変換回路、第５の容量素子、オフセット回路、及び比較回路を有している。オフセット回路は、トランジスタ１５を有している。比較回路は、第３の端子と、第４の端子と、を有している。第５の容量素子の電極の一方は、信号線ＳＬと電気的に接続される。第５の容量素子の電極の他方は、第３の端子と電気的に接続される。第４の端子は、配線ＮＢ２と電気的に接続される。比較回路の出力は、第３の出力端子と電気的に接続される。第３のノードは、第５の容量素子の他方の電極と、第１５のトランジスタのソース又はドレインの一方と、第３の端子とが接続されることで形成される。配線ＮＢ２には、判定閾値電位が与えられる。第２の電流は、信号線ＳＬに接続された複数の第２のトランジスタに流れる第１の電流を加算することで生成される。電流電圧変換回路は、第２の電流が与えられることで第１の電位を生成する。第５の容量素子の電極の一方には、第１の電位が与えられる。第１５のトランジスタは、第３のノードの電位を初期化する機能を有している。第３のノードは、第１５のトランジスタによって初期化された後、第５の容量素子の電極の一方に与えられた第１の電位を記憶する機能を有している。比較回路は、第１の電位が判定閾値電位より大きいとき発火すると判定する機能を有している。比較回路は、第１の電位が判定閾値電位より小さいとき発火しないと判定する機能を有している。第３の出力端子は、発火すると判定されるとデジタル信号“Ｈ”を出力する機能を有している。第３の出力端子は、発火しないと判定されるとデジタル信号“Ｌ”を出力する機能を有している。発火の判定結果が次段のニューロンが演算可能な第２の電位として出力することを特徴とする半導体装置が好ましい。なお、電流電圧変換回路は、一つ又は複数の抵抗素子を有することを特徴とする半導体装置が好ましい。【００２０】  上記各構成において、第１のトランジスタ、第３のトランジスタ、第４のトランジスタ、第５のトランジスタ、第７のトランジスタ、第８のトランジスタ、第１０のトランジスタ、第１１のトランジスタ、第１２のトランジスタ、第１３のトランジスタ、第１４のトランジスタ、又は第１５のトランジスタは、半導体層に金属酸化物を有する半導体装置が好ましい。また、第１のトランジスタ、第３のトランジスタ、第４のトランジスタ、第５のトランジスタ、第７のトランジスタ、第８のトランジスタ、第１０のトランジスタ、第１１のトランジスタ、第１２のトランジスタ、第１３のトランジスタ、第１４のトランジスタ、又は第１５のトランジスタは、バックゲートを有することを特徴とする半導体装置が好ましい。【００２１】  上記各構成において、半導体装置に電気的に接続されたリードを有することを特徴とする電子部品が好ましい。また、電子部品が設けられたプリント基板と、プリント基板が格納された筐体と、を有することを特徴とする電子機器が好ましい。
【発明の効果】
【００２２】  本発明の一態様は、新規な構成の半導体装置を提供することができる。又は、本発明の一態様は、ニューロンがアナログ信号を出力する半導体装置を提供することができる。又は、本発明の一態様は、ニューロンの演算を低電力化させる半導体装置を提供することができる。【００２３】  なお本発明の一態様の効果は、上記列挙した効果に限定されない。上記列挙した効果は、他の効果の存在を妨げるものではない。なお他の効果は、以下の記載で述べる、本項目で言及していない効果である。本項目で言及していない効果は、当業者であれば明細書又は図面等の記載から導き出せるものであり、これらの記載から適宜抽出することができる。なお、本発明の一態様は、上記列挙した効果、及び／又は他の効果のうち、少なくとも一つの効果を有するものである。従って本発明の一態様は、場合によっては、上記列挙した効果を有さない場合もある。
【図面の簡単な説明】
【００２４】
【図１】半導体装置を説明するブロック図。
【図２】ニューラルネットワークを説明するブロック図。
【図３】半導体装置を説明するブロック図。
【図４】半導体装置を説明する回路図。
【図５】半導体装置を説明する回路図。
【図６】（Ａ）半導体装置を説明する回路図。（Ｂ）半導体装置の出力特性を説明する回路図。
【図７】（Ａ）半導体装置を説明する回路図。（Ｂ）半導体装置の出力特性を説明する回路図。
【図８】半導体装置を駆動するタイミングチャート。
【図９】半導体装置を説明する回路図。
【図１０】半導体装置を説明するブロック図。
【図１１】半導体装置を説明する回路図。
【図１２】半導体装置を説明する回路図。
【図１３】半導体装置を説明する回路図。
【図１４】半導体装置を駆動するタイミングチャート。
【図１５】半導体装置を説明する断面図。
【図１６】半導体装置を説明する断面図。
【図１７】半導体装置を説明する断面図。
【図１８】半導体装置を説明する断面図。
【図１９】半導体ウエハの上面図。
【図２０】電子部品の作製工程例を説明するフローチャート及び斜視模式図。
【図２１】電子部品を示す図。
【図２２】電子機器を示す図。
【発明を実施するための形態】
【００２５】  以下、実施の形態について図面を参照しながら説明する。ただし、実施の形態は多くの異なる態様で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。
【００２６】  また、図面において、大きさ、層の厚さ、又は領域は、明瞭化のために誇張されている場合がある。よって、必ずしもそのスケールに限定されない。なお図面は、理想的な例を模式的に示したものであり、図面に示す形状又は値などに限定されない。
【００２７】  また、本明細書にて用いる「第１」、「第２」、「第３」という序数詞は、構成要素の混同を避けるために付したものであり、数的に限定するものではないことを付記する。
【００２８】  また、本明細書において、「上に」、「下に」などの配置を示す語句は、構成同士の位置関係を、図面を参照して説明するために、便宜上用いている。また、構成同士の位置関係は、各構成を描写する方向に応じて適宜変化するものである。従って、明細書で説明した語句に限定されず、状況に応じて適切に言い換えることができる。
【００２９】  また、本明細書等において、トランジスタとは、ゲートと、ドレインと、ソースとを含む少なくとも三つの端子を有する素子である。そして、ドレイン（ドレイン端子、ドレイン領域又はドレイン電極）とソース（ソース端子、ソース領域又はソース電極）の間にチャネル領域を有しており、チャネル形成領域を介して、ソースとドレインとの間に電流を流すことができるものである。なお、本明細書等において、チャネル領域とは、電流が主として流れる領域をいう。
【００３０】  また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができるものとする。
【００３１】  また、本明細書等において、「電気的に接続」には、「何らかの電気的作用を有するもの」を介して接続されている場合が含まれる。ここで、「何らかの電気的作用を有するもの」は、接続対象間での電気信号の授受を可能とするものであれば、特に制限を受けない。例えば、「何らかの電気的作用を有するもの」には、電極や配線をはじめ、トランジスタなどのスイッチング素子、抵抗素子、インダクタ、キャパシタ、その他の各種機能を有する素子などが含まれる。
【００３２】  また、本明細書等において、「平行」とは、二つの直線が−１０°以上１０°以下の角度で配置されている状態をいう。従って、−５°以上５°以下の場合も含まれる。また、「垂直」とは、二つの直線が８０°以上１００°以下の角度で配置されている状態をいう。従って、８５°以上９５°以下の場合も含まれる。
【００３３】  また、本明細書等において、「膜」という用語と、「層」という用語とは、互いに入れ替えることが可能である。例えば、「導電層」という用語を、「導電膜」という用語に変更することが可能な場合がある。又は、例えば、「絶縁膜」という用語を、「絶縁層」という用語に変更することが可能な場合がある。
【００３４】  また、本明細書等において、特に断りがない場合、オフ電流とは、トランジスタがオフ状態（非導通状態、遮断状態、ともいう）にあるときのドレイン電流をいう。オフ状態とは、特に断りがない場合、ｎチャネル型トランジスタでは、ゲートとソースの間の電圧Ｖｇｓがしきい値電圧Ｖｔｈよりも低い状態、ｐチャネル型トランジスタでは、ゲートとソースの間の電圧Ｖｇｓがしきい値電圧Ｖｔｈよりも高い状態をいう。例えば、ｎチャネル型のトランジスタのオフ電流とは、ゲートとソースの間の電圧Ｖｇｓがしきい値電圧Ｖｔｈよりも低いときのドレイン電流をいう場合がある。
【００３５】  トランジスタのオフ電流は、Ｖｇｓに依存する場合がある。従って、トランジスタのオフ電流がＩ以下である、とは、トランジスタのオフ電流がＩ以下となるＶｇｓの値が存在することをいう場合がある。トランジスタのオフ電流は、所定のＶｇｓにおけるオフ状態、所定の範囲内のＶｇｓにおけるオフ状態、又は、十分に低減されたオフ電流が得られるＶｇｓにおけるオフ状態、等におけるオフ電流を指す場合がある。
【００３６】  一例として、しきい値電圧Ｖｔｈが０．５Ｖであり、Ｖｇｓが０．５Ｖにおけるドレイン電流が１×１０−９Ａであり、Ｖｇｓが０．１Ｖにおけるドレイン電流が１×１０−１３Ａであり、Ｖｇｓが−０．５Ｖにおけるドレイン電流が１×１０−１９Ａであり、Ｖｇｓが−０．８Ｖにおけるドレイン電流が１×１０−２２Ａであるようなｎチャネル型トランジスタを想定する。当該トランジスタのドレイン電流は、Ｖｇｓが−０．５Ｖにおいて、又は、Ｖｇｓが−０．５Ｖ乃至−０．８Ｖの範囲において、１×１０−１９Ａ以下であるから、当該トランジスタのオフ電流は１×１０−１９Ａ以下である、という場合がある。当該トランジスタのドレイン電流が１×１０−２２Ａ以下となるＶｇｓが存在するため、当該トランジスタのオフ電流は１×１０−２２Ａ以下である、という場合がある。
【００３７】  また、本明細書等では、チャネル幅Ｗを有するトランジスタのオフ電流を、チャネル幅Ｗあたりを流れる電流値で表す場合がある。また、所定のチャネル幅（例えば１μｍ）あたりを流れる電流値で表す場合がある。後者の場合、オフ電流の単位は、電流／長さの次元を持つ単位（例えば、Ａ／μｍ）で表される場合がある。
【００３８】  トランジスタのオフ電流は、温度に依存する場合がある。本明細書において、オフ電流は、特に記載がない場合、室温、６０℃、８５℃、９５℃、又は１２５℃におけるオフ電流を表す場合がある。又は、当該トランジスタが含まれる半導体装置等の信頼性が保証される温度、又は、当該トランジスタが含まれる半導体装置等が使用される温度（例えば、５℃乃至３５℃のいずれか一の温度）におけるオフ電流、を表す場合がある。トランジスタのオフ電流がＩ以下である、とは、室温、６０℃、８５℃、９５℃、１２５℃、当該トランジスタが含まれる半導体装置等の信頼性が保証される温度、又は、当該トランジスタが含まれる半導体装置等が使用される温度（例えば、５℃乃至３５℃のいずれか一の温度）、におけるトランジスタのオフ電流がＩ以下となるＶｇｓの値が存在することを指す場合がある。
【００３９】  トランジスタのオフ電流は、ドレインとソースの間の電圧Ｖｄｓに依存する場合がある。本明細書において、オフ電流は、特に記載がない場合、Ｖｄｓが０．１Ｖ、０．８Ｖ、１Ｖ、１．２Ｖ、１．８Ｖ、２．５Ｖ、３Ｖ、３．３Ｖ、１０Ｖ、１２Ｖ、１６Ｖ、又は２０Ｖにおけるオフ電流を表す場合がある。又は、当該トランジスタが含まれる半導体装置等の信頼性が保証されるＶｄｓ、又は、当該トランジスタが含まれる半導体装置等において使用されるＶｄｓにおけるオフ電流、を表す場合がある。トランジスタのオフ電流がＩ以下である、とは、Ｖｄｓが０．１Ｖ、０．８Ｖ、１Ｖ、１．２Ｖ、１．８Ｖ、２．５Ｖ、３Ｖ、３．３Ｖ、１０Ｖ、１２Ｖ、１６Ｖ、２０Ｖ、当該トランジスタが含まれる半導体装置等の信頼性が保証されるＶｄｓ、又は、当該トランジスタが含まれる半導体装置等において使用されるＶｄｓ、におけるトランジスタのオフ電流がＩ以下となるＶｇｓの値が存在することを指す場合がある。
【００４０】  上記オフ電流の説明において、ドレインをソースと読み替えてもよい。つまり、オフ電流は、トランジスタがオフ状態にあるときのソースを流れる電流をいう場合もある。
【００４１】  また、本明細書等では、オフ電流と同じ意味で、リーク電流と記載する場合がある。また、本明細書等において、オフ電流とは、例えば、トランジスタがオフ状態にあるときに、ソースとドレインとの間に流れる電流を指す場合がある。
【００４２】  なお、電圧とは２点間における電位差のことをいい、電位とはある一点における静電場の中にある単位電荷が持つ静電エネルギー（電気的な位置エネルギー）のことをいう。ただし、一般的に、ある一点における電位と基準となる電位（例えば接地電位）との電位差のことを、単に電位もしくは電圧と呼び、電位と電圧が同義語として用いられることが多い。このため、本明細書では特に指定する場合を除き、電位を電圧と読み替えてもよいし、電圧を電位と読み替えてもよいこととする。
【００４３】（実施の形態１）
本実施の形態では、ニューラルネットワークの機能を有する半導体装置について、図１乃至図８を用いて説明する。
【００４４】  図１は、半導体装置１０の構成を説明するためのブロック図である。
【００４５】  半導体装置１０は、入力層１１、中間層１２、出力層１３、出力回路１４、カラムデコーダ２５ａ、カラムデコーダ２５ｂ、及びローデコーダ２６を有している。入力層１１は、入力レジスタ回路２０、入力セレクタ回路２１、及びデジタルアナログ変換回路２２を有している。中間層１２及び出力層１３は、ニューロン２３、を有している。ニューロン２３は、シナプス回路２３ａ、活性化関数回路２４ａを有している。シナプス回路２３ａは、メモリユニットを有している。出力回路１４は、アナログデジタル変換回路２７、出力レジスタ２８を有している。
【００４６】  半導体装置１０は、多層のパーセプトロンを有するニューラルネットワークを構成することができる。従って、入力層１１、中間層１２、出力層１３は、それぞれがパーセプトロンとして機能することができる。
【００４７】  まず、中間層１２について説明する。中間層１２は、複数のニューロン２３を有していることが好ましい。ニューロン２３は、シナプス回路２３ａと、活性化関数回路２４ａと、を有している。シナプス回路２３ａは、メモリユニットを有している。メモリユニットは、複数のメモリセルを有している。カラムデコーダ２５ａ及びローデコーダ２６、又はカラムデコーダ２５ｂ及びローデコーダ２６は、メモリセルを選択することができる。カラムデコーダ２５ａ、又はカラムデコーダ２５ｂは、パーセプトロンごとに異なるアドレス情報を選択することができる。ローデコーダ２６は、複数のパーセプトロンを共有するアドレス情報によって選択されるビット線を選択することができる。カラムデコーダ２５ａ、又はカラムデコーダ２５ｂは、デジタルアナログ変換回路を有していることが好ましい。カラムデコーダ２５ａ、又はカラムデコーダ２５ｂは、デジタルアナログ変換回路を介してメモリセルに第１のアナログ信号を書き込むことができる。メモリユニットは、図３で詳細な説明をする。
【００４８】  複数のメモリセルに与えられた第１のアナログ信号は、重み係数として保持することができる。
【００４９】  入力層１１のパーセプトロンは、入力レジスタ回路２０がニューロン２３に相当する。入力レジスタ回路２０には、入力データが書き込まれる。入力データは、入力セレクタ回路２１を介してデジタルアナログ変換回路２２に与えられる。入力データは、デジタルアナログ変換回路２２によって第２のアナログ信号に変換される。第２のアナログ信号は、中間層１２が有するニューロン２３のシナプス回路２３ａに入力信号として与えられる。
【００５０】  シナプス回路２３ａは、入力信号に重み係数を乗算し、乗算された結果を第１の電流に変換することができる。シナプス回路２３ａは、複数の第１の電流を加算し第２の電流が生成される。第１の電位は、第２の電流を電圧に変換することで生成される。
【００５１】  活性化関数回路２４ａは、第１の電位をランプ関数によって第２の電位に変換することができる。第２の電位は、ニューロン２３の出力信号として出力することができる。中間層１２の出力信号は、出力層１３のニューロン２３の入力信号として与えることができる。出力層１３のニューロン２３の動作は、中間層１２と同じ動作をするため説明を省略する。
【００５２】  出力層１３の活性化関数回路２４ａによって生成された第２の電位は、出力回路１４が有するアナログデジタル変換回路２７によってデジタル信号に変換される。デジタル信号は、出力レジスタ２８に保持され、電子機器が有するプロセッサによって使用される。
【００５３】  図２は、半導体装置１０をニューラルネットワークの概略図として示している。ニューラルネットワークは、入力層１１、中間層１２、及び出力層１３を有し、それぞれの層がパーセプトロンを有している。図２では、パーセプトロンが３つのニューロンを有した例を示しているが、ニューロンの数は３つに限定されない。パーセプトロンはｍ個のニューロンを有することができる。ｍは、１以上の整数である。また、それぞれのパーセプトロンは、異なる数のニューロンを有した構成でもよい。またパーセプトロンの階層は、入力層１１、中間層１２、出力層１３に限定されない。中間層１２は複数の階層を有してもよい。例えば、パーセプトロンは、１以上ｓ以下の階層を有することができる。ｓは２以上の整数である。
【００５４】  続いて、ニューラルネットワークの信号の流れについて説明する。入力層１１のニューロンＮＰ１には、入力信号Ｘｉｎ［ｊ］として第２のアナログ信号が与えられる。入力層１１に与えられた入力信号Ｘｉｎ［ｊ］は、中間層１２のニューロンＮＱ１乃至ニューロンＮＱ３に与えられる。中間層１２のニューロンＮＱ１乃至ニューロンＮＱ３の出力は、出力層１３のニューロンＮＲ１乃至ニューロンＮＲ３に与えられる。ｊは、ニューロンの番号を示す変数であり、１以上の整数である。
【００５５】  ここでは、説明のために中間層１２が有するニューロンＮＱ１について説明する。シナプス回路２３ａは、ニューロンＮＰ１に与えられた入力信号Ｘｉｎ［ｊ］に重み係数ｗ［ｉ］を乗算することができる。また、シナプス回路２３ａは、ニューロンＮＰ２及びニューロンＮＰ３もニューロンＮＰ１と同じように乗算することができる。シナプス回路２３ａは、それぞれの乗算結果を加算することができる。加算された結果は、活性化関数回路２４ａによって判定される。活性化関数回路２４ａは、ロジスティックシグモイド関数を有している。ロジスティックシグモイド関数は、変数Ｐとして表すことができる。従って、ニューロンＮＱ１の入力信号Ｘｉｎ１は、式１で表すことができる。ｉは、シナプス回路の重み係数が保持されているメモリセルを示す変数であり、１以上の整数である。
【００５６】  Ｘｉｎ１＝Ｐ・Σ（ｗ１［ｉ］・Ｘｉｎ［ｊ］）（式１）
【００５７】  活性化関数回路２４ａについては、図６で詳細な説明をする。図６では、ランプ関数によって変換された出力信号を出力する例を示している。また、図７では、図６とは異なる出力をする例を示している。活性化関数回路２４ａの出力は、次段のニューロン２３が演算可能な入力信号として与えることができる。
【００５８】  図３では、ニューロン２３の一例について説明する。ニューロン２３は、シナプス回路２３ａと、活性化関数回路２４ａと、を有している。シナプス回路２３ａは、メモリユニット２３ｂ、電流源回路３０、列出力回路３１、信号線ＷＤ［ｊ］、信号線ＷＷ［ｉ］、信号線ＳＬ［ｊ］、信号線ＲＷ［ｉ］、及び配線ＣＯＭを有している。列出力回路３１は、電流電圧変換回路３１ａ、オフセット回路３１ｂ、第１の出力端子、及び配線ＯＲＥＦを有している。
【００５９】  メモリユニット２３ｂは、複数のメモリセルＭＣを有している。メモリセルＭＣは、トランジスタ４１、トランジスタ４２、及び容量素子５１を有している。説明を簡便化するために、図３では、一例としてメモリセルＭＣ［ｉ、ｊ］乃至メモリセルＭＣ［ｉ＋２、ｊ＋２］を用いて説明する。
【００６０】  メモリセルＭＣは、信号線ＷＤ［ｊ］、信号線ＷＷ［ｉ］、信号線ＳＬ［ｊ］、信号線ＲＷ［ｉ］、及び配線ＣＯＭと電気的に接続されている。トランジスタ４１のゲートは、信号線ＷＷと電気的に接続されている。トランジスタ４１のソース又はドレインの一方は、信号線ＷＤと電気的に接続されている。トランジスタ４１のソース又はドレインの他方は、トランジスタ４２のゲートと、容量素子５１の電極の一方と、に電気的に接続されている。トランジスタ４２のソース又はドレインの一方は、信号線ＳＬと電気的に接続されている。トランジスタ４２のソース又はドレインの他方は、配線ＣＯＭと電気的に接続されている。容量素子５１の電極の他方は、信号線ＲＷと電気的に接続されている。ノードＦＮ１は、トランジスタ４２のゲートと、トランジスタ４１のソース又はドレインの他方、及び容量素子５１の電極の一方が接続されることで形成されている。
【００６１】  メモリセルＭＣは、ノードＦＮ１に重み係数を記憶することができる。重み係数は、アナログ信号で与えられるため重み電位として表すことができる。信号線ＲＷは、アナログ信号の入力信号が与えられる。よって、容量素子５１は、容量素子５１の電極の他方に入力信号が与えられる。ノードＦＮ１は、重み電位に容量素子５１を介して入力信号が加えられることで第３の電位に変化する。よって、トランジスタ４２のゲートには、第３の電位が与えられる。トランジスタ４２は、トランジスタ４２のゲートに与える第３の電位を変化させることでトランジスタ４２のコンダクタンスに応じた電流を流すことができる。つまり、トランジスタ４２は、入力信号に重み係数を乗算し前記第１の電流に変換することができる。従って乗算された結果は、第１の電流として出力される。配線ＣＯＭには、シナプス回路２３ａで使用する一番低い電位を与えることが好ましい。トランジスタ４２に流れる電流は、配線ＣＯＭに吸い込まれる方向に流れることが好ましい。
【００６２】  シナプス回路２３ａは、信号線ＳＬ［ｊ］に電流を供給する電流源回路３０を有している。電流源回路３０は、メモリユニット２３ｂが有している複数のメモリセルＭＲＥＦを用いて電流ＩＲＥＦを生成することができる。電流ＩＲＥＦは、信号線ＳＬ［ｊ］に電流を供給するときの基準電流になる。電流源回路３０は、カレントミラー回路を有し、電流ＩＲＥＦを電流ＩＲ［ｊ］にコピーすることができる。従って、信号線ＳＬ［ｊ］には、電流ＩＲＥＦと同じ大きさの電流ＩＲ［ｊ］を供給することができる。電流源回路３０の詳細な説明は図４にて行う。
【００６３】  列出力回路３１は、信号線ＳＬ［ｊ］を介して複数のメモリセルＭＣと電気的に接続されている。図３では、信号線ＳＬ［ｊ］には、メモリセルＭＣ［ｉ，ｊ］乃至メモリセルＭＣ［ｉ＋２，ｊ］が接続された例を示している。第２の電流は、メモリセルＭＣ［ｉ，ｊ］乃至メモリセルＭＣ［ｉ＋２，ｊ］が有する第２のトランジスタに流れる第１の電流を加算することで生成される。つまり、シナプス回路２３ａは、積和演算の機能を有している。
【００６４】  電流電圧変換回路３１ａは、信号線ＳＬ［ｊ］に流れる第２の電流を第１の電位に変換することができる。第１の電位は、オフセット回路３１ｂに与えられる。オフセット回路３１ｂは、メモリセルＭＣ［ｉ，ｊ］乃至メモリセルＭＣ［ｉ＋２，ｊ］に入力信号が与えられていないときを基準として、入力信号が与えられるときの第１の電位を記憶することができる。オフセット回路３１ｂは、第１の電位から生成する第４の電位を第１の出力端子に出力する。列出力回路３１の詳細な説明は図５にて行う。
【００６５】  活性化関数回路２４ａは、第４の電位をランプ関数によって第２の電位に変換することができる。第２の電位は、次段のニューロン２３が有する信号線ＲＷに与えられる。活性化関数回路２４ａの詳細な説明は図６にて行う。
【００６６】  図４では、電流源回路３０の詳細な説明をする。図４は、一例として電流源回路３０の回路構成を示している。電流源回路３０は、カレントミラー回路で構成されている。カレントミラー回路は、基準になるカレントミラー回路ＣＭＲＥＦと、複数のカレントミラー回路ＣＭによって構成されている。カレントミラー回路ＣＭの数は、ニューロン２３と同じ数が好ましい。カレントミラー回路ＣＭＲＥＦ及びカレントミラー回路ＣＭ［ｊ］は、ｐチャネル型のトランジスタ５９を有している。トランジスタ５９は、同じ大きさのチャネル長、チャネル幅、電気特性を有していることが好ましい。電流源回路３０は、信号線ＳＬ［ｊ］に同じ大きさの電流を流すことができればよく、図４で示した例のようにｐチャネル型のトランジスタで構成されたカレントミラー回路に限定されない。
【００６７】  カレントミラー回路ＣＭＲＥＦ及びカレントミラー回路ＣＭ［ｊ］が有するトランジスタ５９のソースは、配線ＶＤＤと電気的に接続されている。トランジスタ５９のゲートは、配線ＣＭＶと電気的に接続されている。トランジスタ５９のドレインは、信号線ＳＬ［ｊ］に電気的に接続されている。カレントミラー回路ＣＭＲＥＦは、トランジスタ５９のゲートとドレインとに電気的に接続されている。カレントミラー回路ＣＭＲＥＦは、信号線ＳＬＲＥＦを介してメモリセルＭＲＥＦと電気的に接続されている。
【００６８】  信号線ＳＬＲＥＦには、メモリセルＭＲＥＦが有するトランジスタ４２に流れる電流の和に等しい電流ＩＲＥＦが流れる。よって、カレントミラー回路ＣＭＲＥＦの有するトランジスタ５９のドレイン電位と、ゲート電位とが電流ＩＲＥＦによって決まる。カレントミラー回路ＣＭＲＥＦの有するトランジスタ５９のゲートに与えられた電位は、配線ＣＭＶを介してカレントミラー回路ＣＭの有するトランジスタ５９のゲートに与えられる。従って、電流ＩＲ［ｊ］は、電流ＩＲＥＦと同じ大きさの電流が与えられる。
【００６９】  図５では、列出力回路３１の詳細な説明をする。列出力回路３１は、電流電圧変換回路３１ａ、オフセット回路３１ｂ、配線ＯＲＥＦ、配線ＯＰＲ、信号線ＲＳＴ、及び配線ＮＢ１を有している。
【００７０】  まず、電流電圧変換回路３１ａについて説明する。電流電圧変換回路３１ａは、抵抗素子Ｒ１を用いた例を示している。抵抗素子Ｒ１の電極の一方には、信号線ＳＬ［ｊ］が電気的に接続されている。信号線ＳＬ［ｊ］には、複数のメモリセルＭＣが電気的に接続されていることが好ましい。抵抗素子Ｒ１の電極の他方には、配線ＯＲＥＦが電気的に接続されている。抵抗素子Ｒ１は、配線ＯＲＥＦに与えられる電位ＶＲＥＦを基準電位として第２の電流を第１の電位に変換することができる。ただし、電位ＶＲＥＦには、ノードＦＮ１に与えられる重み電位と、信号線ＲＷに与えられる入力信号とを考慮して最適な電位ＶＲＥＦを与えることができる。
【００７１】  電流電圧変換回路３１ａは、一つの抵抗素子で電流を電圧に変換する例を示したが、複数の抵抗素子とスイッチとを有した構成でもよい。複数の抵抗素子と、スイッチを有することで、電流電圧変換回路３１ａは、電流の大きさに応じた検出範囲を切り替えることができる。なお、複数のメモリセルＭＣに流れる電流は、合成電流として信号線ＳＬ［ｊ］に与えられる。従って、列出力回路３１は、アナログ加算回路として機能する。
【００７２】  例えば、配線ＯＲＥＦに与えられる電位ＶＲＥＦは、ノードＦＮ１に正の重み電位又は負の重み電位が与えられても第１の電位が正の電位を示すように設定することが好ましい。従って、トランジスタ４２に流れる第１の電流は、ノードＦＮ１に正の重み電位または負の重み電位のいずれかが与えられても配線ＣＯＭに吸い込まれることが好ましい。ただし、第１の電流が、正の重みのとき配線ＣＯＭに吸い込まれ、負の重みのとき配線ＣＯＭから供給するように電位ＶＲＥＦを設定してもよい。また、電流源回路３０は、信号線ＳＬ［ｊ］に与えるＩＲ［ｊ］が、第２の電流より大きいことが好ましい。
【００７３】  続いて、オフセット回路３１ｂについて説明する。オフセット回路３１ｂは、リセット回路、第１のソースフォロワ回路、及び第１の出力端子を有している。リセット回路は、容量素子５２と、トランジスタ４３とを有している。第１のソースフォロワ回路は、トランジスタ４４と、トランジスタ４５とを有している。
【００７４】  オフセット回路３１ｂは、配線ＯＰＲ、信号線ＲＳＴ、及び配線ＮＢと電気的に接続されている。容量素子５２の電極の一方は、信号線ＳＬ［ｊ］に電気的に接続されている。容量素子５２の電極の他方は、トランジスタ４３のソース又はドレインのいずれか一方と、トランジスタ４４のゲートとに電気的に接続されている。トランジスタ４３のソース又はドレインの他方は、配線ＯＰＲに電気的に接続されている。トランジスタ４４のソース又はドレインの一方は、配線ＶＤＤに電気的に接続されている。トランジスタ４４のソース又はドレインの他方は、トランジスタ４５のソース又はドレインの一方と、出力端子ＯＰＳ［ｊ］とに電気的に接続されている。トランジスタ４５のソース又はドレインの他方は、配線ＣＯＭと電気的に接続されている。トランジスタ４５のゲートは、配線ＮＢ１と電気的に接続されている。ノードＦＮ２は、容量素子５２の電極の他方と、トランジスタ４３のソース又はドレインの一方と、トランジスタ４４のゲートが接続することによって形成されている。
【００７５】  配線ＯＰＲには、ノードＦＮ２のリセット電位ＶＰＲが与えられる。リセット回路は、信号線ＲＳＴにデジタル信号“Ｈ”を与えることで、トランジスタ４３をオン状態にすることができる。従って、ノードＦＮ２は、電位ＶＰＲが与えられる。ノードＦＮ２は、リセット電位ＶＰＲが与えられている第１の期間を有している。第１の期間は、信号線ＳＬ［ｊ］がメモリセルＭＣに対して入力データが与えられていない状態であることが好ましい。
【００７６】  トランジスタ４３がオフ状態になり、メモリセルＭＣには、信号線ＲＷから入力信号が与えられる。容量素子５２の電極の一方には、電流電圧変換回路３１ａが第２の電流から生成する第１の電位が与えられる。ノードＦＮ２は、容量素子５２による容量結合によって第１の電位に変化する。ノードＦＮ２に与えられた第１の電位は、第１のソースフォロワ回路を構成するトランジスタ４４のゲートに与えられる。トランジスタ４５のゲートは、配線ＮＢ１によって固定電位が与えられている。従って、トランジスタ４５は第１のソースフォロワ回路の定電流源として機能することができる。トランジスタ４４及びトランジスタ４５は、トランジスタのチャネル長、チャネル幅、及び電気特性が同じであることが好ましい。
【００７７】  出力端子ＯＰＳ［ｊ］には、第１のソースフォロワ回路の出力が与えられる。従って、出力端子ＯＰＳ［ｊ］は、トランジスタ４４のゲートに与えられた第１の電位からトランジスタ４４の閾値電圧だけ低い第４の電位が出力される。
【００７８】  図６（Ａ）では、活性化関数回路２４ａの詳細な説明をする。ニューラルネットワークでは、活性化関数回路のことをロジスティックシグモイド関数と呼ぶことがある。活性化関数回路２４ａは、第２のソースフォロワ回路、配線ＶＤＤ、配線ＯＢＳ、及び配線ＮＢ１を有している。第２のソースフォロワ回路は、トランジスタ４６、トランジスタ４７、及びトランジスタ４８を有している。
【００７９】  トランジスタ４６のゲートは、配線ＮＢ１と電気的に接続されている。トランジスタ４７のゲートは、配線ＯＢＳと電気的に接続されている。出力端子ＯＰＳ［ｊ］は、トランジスタ４８のゲートと電気的に接続されている。配線ＶＤＤは、トランジスタ４７のソース又はドレインの一方と、トランジスタ４８のソース又はドレインの一方と、に電気的に接続されている。トランジスタ４６のソース又はドレインの一方は、トランジスタ４７のソース又はドレインの他方と、トランジスタ４８のソース又はドレインの他方と、出力端子ＯＲＹ［ｊ］とに電気的に接続されている。トランジスタ４６のソース又はドレインの他方は、配線ＣＯＭと電気的に接続されている。
【００８０】  活性化関数回路２４ａは、出力端子ＯＰＳ［ｊ］を介して列出力回路３１から与えられる第４の電位をランプ関数によって第２の電位に変換することができる。トランジスタ４６のゲートは、配線ＮＢ１によって固定電位が与えられている。従って、トランジスタ４６は第２のソースフォロワ回路の定電流源として機能することができる。トランジスタ４７のゲートは、配線ＯＢＳによって電圧ＶＢＳを与えられる。トランジスタ４８のゲートは、第４の電位が与えられる。トランジスタ４６、トランジスタ４７、及びトランジスタ４８は、トランジスタのチャネル長、チャネル幅、及び電気特性が同じであることが好ましい。
【００８１】  ランプ関数は、第１の出力範囲と、第２の出力範囲と、を有している。第１の出力範囲は、トランジスタ４７によって出力端子ＯＲＹ［ｊ］に第２の電位が出力される。第２の出力範囲は、トランジスタ４８によって出力端子ＯＲＹ［ｊ］に第２の電位が出力される。よって、第１の出力範囲では、電圧ＶＢＳよりトランジスタ４７の閾値電圧だけ低い第２の電位が出力端子ＯＲＹ［ｊ］に出力される。第２の出力範囲では、第４の電位よりトランジスタ４８の閾値電圧だけ低い第２の電位が出力端子ＯＲＹ［ｊ］に出力される。
【００８２】  つまり換言すると、活性化関数回路２４ａが有するランプ関数は、第４の電位が電圧ＶＢＳより小さいときに出力端子ＯＲＹ［ｊ］の出力電圧を固定することができる。また、第４の電位が電圧ＶＢＳより大きいときは、出力端子ＯＲＹ［ｊ］をトランジスタ４８のゲートに与える第４の電位に応じた出力電圧に変化させることができる。
【００８３】  アナログ信号の演算は、素子の電気特性、又は配線などの時定数などの影響によってばらつくことがある。ただし、第１の出力範囲を有することで、ばらつきの影響を削減することができる。ランプ関数によって変換された第２の電位は、次段のニューロンの入力信号として信号線ＲＷに与えられる。
【００８４】  図６（Ｂ）は、活性化関数回路２４ａの出力特性を示している。ｘ軸は、活性化関数回路２４ａに入力信号として与えられる第４の電位を表している。ｙ軸は、活性化関数回路２４ａの出力信号として出力端子ＯＲＹ［ｊ］に与えられる電圧ＶＲＹ［ｊ］を表している。
【００８５】  第４の電位は、第２のソースフォロワ回路に与えられる電圧ＶＢＳと比較される。第１の出力範囲は、第４の電位が電圧ＶＢＳより小さいときに出力する。よって、第１の出力範囲は、出力端子ＯＲＹ［ｊ］に電圧ＶＢＳよりトランジスタ４７の閾値電圧だけ低い第２の電位が出力されることを示している。第２の出力範囲は、第４の電位が電圧ＶＢＳより大きいときに出力する。よって、第２の出力範囲は、出力端子ＯＲＹ［ｊ］に第４の電位よりトランジスタ４８の閾値電圧だけ低い第２の電位が出力されることを示している。
【００８６】  列出力回路３１の異なる構成を、図７（Ａ）に示す。図７（Ａ）の列出力回路３１は、オフセット回路３１ｃが活性化関数の機能を含んでいることが異なっている。オフセット回路３１ｃは、リセット回路、比較回路３１ｄ、配線ＯＰＲ、信号線ＲＳＴ、及び配線ＮＢ２を有している。リセット回路は、トランジスタ４３と、容量素子５２と有している。比較回路３１ｄは、第１の入力端子、第２の入力端子、及び出力端子ＯＲＹを有している。
【００８７】  容量素子５２の電極の一方は、信号線ＳＬ［ｊ］に電気的に接続されている。容量素子５２の電極の他方は、トランジスタ４３のソース又はドレインのいずれか一方と、比較回路３１ｄの第１の入力端子に電気的に接続されている。トランジスタ４３のソース又はドレインのいずれか他方は、配線ＯＰＲと電気的に接続されている。トランジスタ４３のゲートは、信号線ＲＳＴと電気的に接続されている。比較回路３１ｄの第２の入力端子は、配線ＮＢ２と電気的に接続されている。比較回路３１ｄの出力は、出力端子ＯＲＹ［ｊ］に与えられる。ノードＦＮ３は、容量素子５２の電極の他方と、トランジスタ４３のソース又はドレインのいずれか一方と、比較回路３１ｄの第１の入力端子とが接続することで形成されている。
【００８８】  リセット回路の動作は、図５で説明しているため省略する。ノードＦＮ３には、第１の電位が与えられる。比較回路３１ｄの第２の入力端子には、配線ＮＢ２から判定閾値電位ＶＮＢが与えられる。よって、比較回路３１ｄは、第１の入力端子に与えられる第１の電位を、第２の入力端子に与えられる判定閾値電位ＶＮＢと比較することができる。
【００８９】  従って、比較回路は、第１の電位が判定閾値電位ＶＮＢより大きいとき発火すると判定することができる。さらに、比較回路は、第１の電位が判定閾値電位ＶＮＢより小さいとき発火しないと判定することができる。発火の判定結果は、次段のニューロンの入力信号として信号線ＲＷに与えられる。
【００９０】  ここで、発火の状態について説明する。ニューロン２３は、入力信号が重み係数によって乗算された結果を加算する。加算された結果は、判定閾値電位ＶＮＢと比較されることで、入力信号がある特徴を有しているかを判断される。つまり、発火とは、入力信号の演算結果が、ある特徴を有していると判断されたときにデジタル信号“Ｈ”を出力する状態をいう。従って、ニューロン２３はそれぞれ異なる判定閾値電位ＶＮＢによって発火が判断されることが好ましい。図７では、比較回路３１ｄの第２の入力端子に共通の配線ＮＢ２から同じ判定閾値電位ＶＮＢが与えられている例を示している。ただし、ニューロン２３が特徴を抽出するためには、第２の入力端子がそれぞれ異なる判定閾値電位ＶＮＢを保持できるようにアナログレジスタを有してもよい。
【００９１】  図７（Ｂ）は、図７（Ａ）で示した列出力回路３１の出力特性を示している。ｘ軸は、入力信号として与えられノードＦＮ３に保持された第１の電位を表している。ｙ軸は、列出力回路３１の出力信号として出力端子ＯＲＹ［ｊ］に与えられる電圧ＶＲＹ［ｊ］を表している。従って、出力端子ＯＲＹ［ｊ］には、発火するときデジタル信号“Ｈ”が第２の電位として出力される。従って、出力端子ＯＲＹ［ｊ］には、発火しないときデジタル信号“Ｌ”が第２の電位として出力される。
【００９２】  図８では、半導体装置１０の動作をタイミングチャートで示す。説明を簡便化するために、図８では、メモリセルＭＣ［ｉ，ｊ］乃至メモリセルＭＣ［ｉ＋１，ｊ＋１］、メモリセルＭＲＥＦ［ｉ］、及びメモリセルＭＲＥＦ［ｉ＋１］の動作について説明する。
【００９３】  時刻Ｔ０１乃至時刻Ｔ０４の期間は、メモリセルＭＣに第１のアナログ信号を格納するステップである。
【００９４】  また、時刻Ｔ０１から時刻Ｔ０５の期間は、列出力回路３１のオフセット回路３１ｂにリセット電位を設定するステップである。
【００９５】  時刻Ｔ０６乃至時刻Ｔ１１の期間は、多層パーセプトロンの各階層の積和演算及び活性化関数の処理を実行し、多層ニューラルネットワークの出力を取得するステップである。
【００９６】  時刻Ｔ０１から時刻Ｔ０２の期間について説明する。信号線ＷＤＲＥＦには、アナログ信号ＷＳＴの電位が与えられる。また、信号線ＷＤ［ｊ］には、アナログ信号ＷＳＴ−ＶＷＸ［ｉ，ｊ］の電位が与えられる。また、信号線ＷＤ［ｊ＋１］には、アナログ信号ＷＳＴ−ＶＷＸ［ｉ，ｊ＋１］の電位が与えられる。また、信号線ＲＷ［ｉ］及び信号線ＲＷ［ｉ＋１］には、アナログ信号ＶＸＳＴが基準電位として与えられる。また、ＷＳＴ及びＶＸＳＴには、アナログ信号が与えられる。なお、メモリセルＭＣ［ｉ，ｊ］及びメモリセルＭＣ［ｉ，ｊ＋１］には、ＶＷＸ［ｉ，ｊ］及びＶＷＸ［ｉ，ｊ＋１］として重み係数が電位で与えられる。
【００９７】  続いて、信号線ＲＳＴ［ｉ］には、デジタル信号“Ｈ”が与えられる。また、信号線ＷＷ［ｉ］には、デジタル信号“Ｈ”が与えられる。また、信号線ＷＷ［ｉ＋１］には、デジタル信号“Ｌ”が与えられる。
【００９８】  従って、ノードＦＮＲＥＦ［ｉ］には、アナログ信号ＷＳＴの電位が保持される。また、ノードＦＮ１［ｉ，ｊ］には、アナログ信号ＷＳＴ−ＶＷＸ［ｉ，ｊ］の電位が保持される。また、ノードＦＮ１［ｉ，ｊ＋１］には、アナログ信号ＷＳＴ−ＶＷＸ［ｉ，ｊ＋１］の電位が保持される。
【００９９】  時刻Ｔ０３から時刻Ｔ０４の期間について説明する。信号線ＷＷ［ｉ］には、デジタル信号“Ｌ”が与えられる。また、信号線ＷＷ［ｉ＋１］には、デジタル信号“Ｈ”が与えられる。また、信号線ＷＤ［ｊ］には、アナログ信号ＷＳＴ−ＶＷＸ［ｉ＋１，ｊ］が与えられる。また、信号線ＷＤ［ｊ＋１］には、アナログ信号ＷＳＴ−ＶＷＸ［ｉ＋１，ｊ＋１］が与えられる。また、信号線ＷＤＲＥＦには、アナログ信号ＷＳＴが与えられる。また、信号線ＲＷ［ｉ］及び信号線ＲＷ［ｉ＋１］には、アナログ信号ＶＸＳＴが基準電位として与えられる。なお、メモリセルＭＣ［ｉ＋１，ｊ］及びメモリセルＭＣ［ｉ＋１，ｊ＋１］には、ＶＷＸ［ｉ，ｊ］及びＶＷＸ［ｉ，ｊ＋１］として重み係数が電位として与えられる。
【０１００】  続いて、信号線ＷＷ［ｉ］には、デジタル信号“Ｌ”が与えられる。信号線ＷＷ［ｉ＋１］には、デジタル信号“Ｌ”が与えられる。従って、ノードＦＮＲＥＦ［ｉ＋１］には、アナログ信号ＷＳＴの電位が保持される。ノードＦＮ１［ｉ＋１，ｊ］には、アナログ信号ＷＳＴ−ＶＷＸ［ｉ＋１，ｊ］の電位が保持される。ノードＦＮ１［ｉ＋１，ｊ＋１］には、アナログ信号ＷＳＴ−ＶＷＸ［ｉ＋１，ｊ＋１］の電位が保持される。
【０１０１】  時刻Ｔ０１乃至時刻Ｔ０５の期間について説明する。時刻Ｔ０１乃至時刻Ｔ０５の期間では、ノードＦＮ２［ｊ］及びノードＦＮ２［ｊ＋１］がリセット電位であるアナログ信号ＶＰＲの電位に保たれる。
【０１０２】  時刻Ｔ０５について説明する。時刻Ｔ０５では、信号線ＲＳＴにデジタル信号“Ｌ”が与えられることで、オフセット回路３１ｂのリセット期間が終了する。
【０１０３】  時刻Ｔ０６から時刻Ｔ０７の期間について説明する。列出力回路３１［ｊ］は、積和演算の結果に応じてデータ信号ＶＰＳ［ｊ］を出力端子ＯＰＳ［ｊ］に出力することができる。活性化関数回路２４ａは、データ信号ＶＰＳ［ｊ］がランプ関数によって変換された出力信号ＶＲＹ［ｊ］を出力する。時刻Ｔ０６から時刻Ｔ０７の期間では、データ信号ＶＰＳ［ｊ］がＶＢＳよりの電位より低い例を示している。
【０１０４】  また、列出力回路３１［ｊ＋１］は、積和演算の結果に応じてデータ信号ＶＰＳ［ｊ＋１］を出力することができる。同様に、データ信号ＶＰＳ［ｊ＋１］は、ランプ関数によって変換されて出力信号ＶＲＹ［ｊ＋１］を出力する。時刻Ｔ０６から時刻Ｔ０７の期間では、データ信号ＶＰＳ［ｊ＋１］がＶＢＳよりの電位より低い例を示している。
【０１０５】  よって、活性化関数回路２４ａは、ランプ関数によって変換された出力信号ＶＲＹ［ｊ］及び出力信号ＶＲＹ［ｊ＋１］に固定電位が出力されている例を示している。従って、出力信号ＶＲＹ［ｊ］及び出力信号ＶＲＹ［ｊ＋１］は、ランプ関数によってアナログ信号ＶＢＳよりトランジスタ４７の閾値電圧だけ低い電位を出力する。
【０１０６】  時刻Ｔ０８から時刻Ｔ０９について説明する。信号線ＲＷ［ｉ］及び信号線ＲＷ［ｉ＋１］には、時刻Ｔ０６から時刻Ｔ０７の期間とは異なる入力データが与えられる。時刻Ｔ０８から時刻Ｔ０９の期間では、データ信号ＶＰＳ［ｊ］及びデータ信号ＶＰＳ［ｊ＋１］がＶＢＳよりの電位より低い例を示している。
【０１０７】  よって、活性化関数回路２４ａは、ランプ関数によって変換された出力信号ＶＲＹ［ｊ］及び出力信号ＶＲＹ［ｊ＋１］に固定電位が出力されている例を示している。従って、出力信号ＶＲＹ［ｊ］及び出力信号ＶＲＹ［ｊ＋１］は、ランプ関数によってアナログ信号ＶＢＳよりトランジスタ４７の閾値電圧だけ低い電位を出力する。
【０１０８】  時刻Ｔ１０から時刻Ｔ１１について説明する。読み出し制御線ＲＷ［ｉ］及び信号線ＲＷ［ｉ＋１］には、上述された入力データと異なる入力データが与えられる。列出力関数３１の積和演算の結果が、データ信号ＶＰＳ［ｊ］及びデータ信号ＶＰＳ［ｊ＋１］が、ＶＢＳよりの電位より高い例を示している。
【０１０９】  活性化関数回路２４ａは、積和演算の結果に応じて出力信号ＶＲＹ［ｊ］及び出力信号ＶＲＹ［ｊ＋１］を出力する。よって、出力信号ＶＲＹ［ｊ］は、データ信号ＶＰＳ［ｊ］よりトランジスタ４７の閾値電圧だけ低い電位を出力する。また、出力信号ＶＲＹ［ｊ＋１］は、データ信号ＶＰＳ［ｊ＋１］よりトランジスタ４７の閾値電圧だけ低い電位を出力する。
【０１１０】  活性化関数回路２４ａは、ランプ関数によってデータ信号ＶＰＳを出力信号ＶＲＹに変換することができる。ノードＦＮ１に保持された重み係数が同じであっても、入力データが異なるときは、異なった演算結果を出力することができる。よって、本実施の形態をニューラルネットワークに適用することで、複数のパーセプトロンは、アナログ信号を用いて効率よく演算することができる。また、演算結果をデジタル化せずに、続けてアナログ信号を用いて演算することで、さらに、効率的かつ高速な演算を提供することができる。
【０１１１】＜メモリセルの構成例＞
図９（Ａ）及び（Ｂ）には、図３で説明したメモリセルＭＣが取り得る回路構成の一例を示す。
【０１１２】  図９（Ａ）に示すメモリセルＭＣＡは、トランジスタ４１、トランジスタ４２ｐ及び容量素子５１を有する。トランジスタ４２ｐは、トランジスタ４１のｎチャネル型とは異なる極性であるｐチャネル型のトランジスタである。図９（Ａ）に示すように、図３におけるメモリセルのトランジスタの極性は、多様な構成を選択することができる。
【０１１３】  図９（Ｂ）に示すメモリセルＭＣＢは、トランジスタ４１Ｂ、トランジスタ５３、及び容量素子５１を有する。図９（Ｂ）に示すトランジスタ４１Ｂは、配線ＢＧに接続されたバックゲートを有する。トランジスタ４１Ｂは、配線ＢＧに与える電位によって閾値電圧を制御可能な構成とすることができる。
【０１１４】  以上、本実施の形態で示す構成、方法は、他の実施の形態で示す構成、方法と適宜組み合わせて用いることができる。
【０１１５】（実施の形態２）
本実施の形態では、さらにニューロンが有するシナプス回路がオフセット電流をキャンセルする機能を備えた半導体装置について、図１０乃至図１４を用いて説明する。
【０１１６】  図１０では、ニューロン２３がオフセットキャンセル機能を備えた例について説明する。ニューロン２３は、シナプス回路２３ａと、活性化関数回路２４ａと、を有している。シナプス回路２３ａは、メモリユニット２３ｂ、電流源回路３０、列出力回路３１、オフセット電流回路３２、信号線ＷＤ［ｊ］、信号線ＷＷ［ｉ］、信号線ＳＬ［ｊ］、信号線ＲＷ［ｉ］、及び配線ＣＯＭを有している。列出力回路３１は、電流電圧変換回路３１ａ、オフセット回路３１ｂ、及び第１の出力端子を有している。ｊは、ニューロンの番号を示し、１以上の整数である。ｉは、シナプス回路２３ａの重み係数が保持されているメモリセルを示し、１以上の整数である。
【０１１７】  メモリユニット２３ｂは、複数のメモリセルＭＣを有している。メモリセルＭＣは、トランジスタ４１、トランジスタ４２、及び容量素子５１を有している。メモリセルＭＣの構成は、既に図３で説明したのでここでの説明は省略する。説明を簡便化するために、図１０では、一例としてメモリセルＭＣ［ｉ、ｊ］乃至メモリセルＭＣ［ｉ＋２、ｊ］を用いて説明する。
【０１１８】  メモリセルＭＣ［ｉ、ｊ］乃至メモリセルＭＣ［ｉ＋２、ｊ］は、信号線ＳＬに電気的に接続されている。さらに、信号線ＳＬには、電流源回路３０、電流電圧変換回路３１ａ、オフセット回路３１ｂ、及びオフセット電流回路３２、が電気的に接続されている。図１１以降では、図３と異なる構成の電流電圧変換回路３１ａ、及びオフセット電流回路３２について説明する。
【０１１９】  図１１では、列出力回路３１が有する電流電圧変換回路３１ａについて説明する。電流電圧変換回路３１ａは、電流電圧変換素子Ｒ２と、スイッチＳ１とを有している。スイッチＳ１の電極の一方は、信号線ＳＬと電気的に接続され、スイッチＳ１の電極の他方は電流電圧変換素子Ｒ２の電極の一方と電気的に接続され、電流電圧変換素子Ｒ２の他方の電極は、配線ＯＲＥＦと電気的に接続されている。スイッチＳ１は、信号線ＥＲによって制御される。電流電圧変換素子Ｒ２は、抵抗素子が好ましいが限定はされない。ダイオード、又は容量素子などを用いてもよい。またスイッチＳ１は、トランジスタを用いることが好ましいが限定はされない。ダイオードなどを用いてもよい。ただしダイオードを用いるときは、信号線ＥＲによる制御を必要としない。
【０１２０】  スイッチＳ１をオフ状態にすることで、オフセット電流回路３２が信号線ＳＬのオフセット電流をキャンセルする期間として用いることができる。また、スイッチＳ１をオン状態にすることで、電流電圧変換回路３１ａが信号線ＳＬに与えられる電流を電流電圧変換素子Ｒ２によって電位に変換することができる。よって、スイッチＳ１は、電流を流す期間を制御し、消費電力を小さくすることができる。
【０１２１】  オフセット回路３１ｂは、既に図５で説明したのでここでの説明は省略する。
【０１２２】  図１２では、オフセット電流回路３２について説明する。オフセット電流回路３２は、電流吸込み回路３２ａ、電流供給回路３２ｂ、信号線ＯＲＭ、信号線ＯＳＭ、信号線ＯＲＰ、信号線ＯＳＰ、配線ＣＯＭ、及び配線ＶＤＤを有している。電流吸込み回路３２ａは、トランジスタ６１、トランジスタ６２、トランジスタ６３、及び容量素子６４を有し、電流供給回路３２ｂは、トランジスタ６５、トランジスタ６６、トランジスタ６７、及び容量素子６８を有している。
【０１２３】  信号線ＳＬ［ｊ］に着目して説明をする。電流吸込み回路３２ａ［ｊ］、及び電流供給回路３２ｂ［ｊ］は、図１２で表示されていないが信号線ＳＬ［ｊ］を介して電流源回路３０、電流電圧変換回路３１ａ［ｊ］、オフセット回路３１ｂ［ｊ］、及びメモリセルＭＣ［ｉ、ｊ］乃至メモリセルＭＣ［ｉ＋２、ｊ］と電気的に接続されている。
【０１２４】  信号線ＳＬ［ｊ］は、トランジスタ６１のソース又はドレインの一方と、トランジスタ６５のソース又はドレインの一方とに電気的に接続されている。
【０１２５】  トランジスタ６１のソース又はドレインの一方は、さらに、トランジスタ６２のソース又はドレインの一方と電気的に接続され、トランジスタ６１のゲートは、容量素子６４の電極の一方と、トランジスタ６２のソース又はドレインの他方と、トランジスタ６３のソース又はドレインの一方とに電気的に接続され、トランジスタ６３のソース又はドレインの他方は、配線ＣＯＭと、トランジスタ６１のソース又はドレインの他方と、容量素子６４の電極の他方とに電気的に接続され、トランジスタ６２のゲートは、配線ＯＳＰと電気的に接続され、トランジスタ６３のゲートは、配線ＯＲＰと電気的に接続されている。
【０１２６】  トランジスタ６５のソース又はドレインの一方は、さらに、トランジスタ６６のソース又はドレインの一方と電気的に接続され、トランジスタ６５のゲートは、容量素子６８の電極の一方と、トランジスタ６６のソース又はドレインの他方と、トランジスタ６７のソース又はドレインの一方とに電気的に接続され、トランジスタ６７のソース又はドレインの他方は、配線ＶＤＤと、トランジスタ６５のソース又はドレインの他方と、容量素子６８の電極の他方とに電気的に接続され、トランジスタ６６のゲートは、配線ＯＳＭと電気的に接続され、トランジスタ６７のゲートは、配線ＯＲＭと電気的に接続されている。
【０１２７】  信号線ＲＷには、初期電位が与えられ、さらに、メモリセルＭＣ［ｉ、ｊ］乃至メモリセルＭＣ［ｉ＋２、ｊ］のノードＦＮ１には、それぞれ異なる重み係数が重み電位として与えられる。よって、トランジスタ４２には、ノードＦＮ１に与えられた重み電位の大きさによって電流が流れる。信号線ＲＷが初期電位のとき、トランジスタ４２が重み電位の大きさによって流す電流をオフセット電流とすることができる。ただし、オフセット電流とは、メモリセルＭＣ［ｉ、ｊ］乃至メモリセルＭＣ［ｉ＋２、ｊ］のトランジスタ４２にそれぞれに流れる電流の合計電流を示している。
【０１２８】  シナプス回路２３ａは、それぞれの入力信号に重み係数を乗算し、乗算結果を加算することで変化量を判断する。そのため、重み係数が設定されることによって発生するオフセット成分は、キャンセルされることが好ましい。
【０１２９】  続いて、オフセット成分をキャンセルする方法について説明する。まず、信号線ＳＬ［ｊ］には、電流源回路３０が有するカレントミラー回路から基準電流が与えられている。重み係数が与えられず、メモリセルＭＣのトランジスタ４２がオフセット電流を流さないとき、信号線ＳＬ［ｊ］には、電流電圧変換回路３１ａ［ｊ］によって基準電位が生成される。しかし、重み係数がそれぞれのメモリセルＭＣに与えられると、オフセット電流がトランジスタ４２に流れ、信号線ＳＬ［ｊ］に流れる電流の大きさが変化する。したがって電流電圧変換回路３１ａ［ｊ］によって生成される電圧の大きさが変化する。
【０１３０】  従って、シナプス回路２３ａは、メモリセルＭＣに重み係数を設定した後、重み係数によって発生するオフセット電流をキャンセルすることが好ましい。重み係数は、正の重み係数、又は負の重み係数を取ることができる。従って、重み係数によらず、基準電流を維持するためには、電流吸込み回路３２ａ［ｊ］がオフセット電流をキャンセルするための電流を吸い込むことができ、もしくは、電流供給回路３２ｂ［ｊ］がオフセット電流をキャンセルするための電流を供給できることが好ましい。
【０１３１】  まず、電流吸込み回路３２ａ［ｊ］がオフセット電流をキャンセルするために電流を吸い込む方法について説明する。トランジスタ６３は、信号線ＯＲＰにデジタル信号“Ｈ”が与えられるとオン状態になる。よって容量素子の電極の一方は、トランジスタ６３を介して配線ＣＯＭの電位で初期化される。
【０１３２】  続いて信号線ＯＲＰによってトランジスタ６３をオフ状態にしたのち、トランジスタ６２は、信号線ＯＳＰにデジタル信号“Ｈ”の信号が与えられるとオン状態になる。従って、信号線ＳＬ［ｊ］に流れるオフセット電流は、容量素子６４に与えられ、トランジスタ６１と、容量素子６４はソースフォロワ回路を形成する。トランジスタ６１が流す電流と、オフセット電流とが均衡を得ると容量素子６４の電位が安定化する。トランジスタ６１は、ｎチャネル型トランジスタであることが好ましい。続いてトランジスタ６２をオフ状態にし、容量素子６４にオフセット電流に応じたオフセットキャンセル電位を保持することができる。
【０１３３】  次に、電流供給回路３２ｂ［ｊ］がオフセット電流をキャンセルするために電流を供給する方法について説明する。トランジスタ６７は、信号線ＯＲＭにデジタル信号“Ｈ”が与えられるとオン状態になる。よって容量素子の電極の一方は、トランジスタ６７を介して配線ＶＤＤの電位で初期化される。
【０１３４】  続いて信号線ＯＲＭによってトランジスタ６７をオフ状態にしたのち、トランジスタ６６は、信号線ＯＳＭにデジタル信号“Ｈ”の信号が与えられるとオン状態になる。従って、信号線ＳＬ［ｊ］に流れるオフセット電流は、容量素子６８に与えられ、トランジスタ６５と、容量素子６８はソースフォロワ回路を形成する。トランジスタ６５が流す電流と、オフセット電流とが均衡を得ると容量素子６８の電位が安定化する。トランジスタ６５は、ｐチャネル型トランジスタであることが好ましい。続いてトランジスタ６２をオフ状態にし、容量素子６８にオフセット電流に応じたオフセットキャンセル電位を保持することができる。
【０１３５】  電流吸込み回路３２ａ［ｊ］、及び電流供給回路３２ｂ［ｊ］は、異なるタイミングでオフセット電流のキャンセル動作をすることが好ましい。
【０１３６】  また、オフセット電流のキャンセル動作期間は、電流電圧変換回路３１ａ［ｊ］のスイッチＳ１がオフ状態であることが好ましい。電流電圧変換素子Ｒ２にオフセット電流を流さないことで、電流電圧変換素子Ｒ２による変換誤差の影響を抑えることができる。
【０１３７】  もしくは、オフセット電流のキャンセル動作期間は、電流電圧変換回路３１ａ［ｊ］のスイッチＳ１がオン状態であってもよい。オフセット電流を電流電圧変換素子Ｒ２にも流すことで、電流電圧変換素子Ｒ２の影響を含んだオフセット補正をすることができる。
【０１３８】  さらに、積和演算処理を停止している期間は、スイッチＳ１をオフ状態にすることで電流電圧変換素子Ｒ２が消費する電力を削減することができる。
【０１３９】  図１３では、図１２と異なるオフセット電流回路３２について説明する。電流吸込み回路３２ｃ［ｊ］は、電流吸込み回路３２ａ［ｊ］と異なり、トランジスタ６３と、信号線ＯＲＰと、を有しない。よって、容量素子６４は、配線ＣＯＭによって与えられる電位で初期化されない。また、電流供給回路３２ｄ［ｊ］は、電流供給回路３２ｂ［ｊ］と異なり、トランジスタ６７と、信号線ＯＲＭと、を有しない。よって、容量素子６８は、配線ＶＤＤによって与えられる電位で初期化されない。
【０１４０】  よってオフセット電流回路３２は、信号線の数を削減でき、さらに使用するトランジスタの数を削減できるため実装面積を小さくすることができる。さらに、初期化する時間を削減できるため処理速度を向上させることができる。
【０１４１】  図１４では、半導体装置１０が有するニューロン２３の動作の一例をタイミングチャートで示す。図１４で示すタイミングチャートでは、図１２のオフセット電流回路３２を用いた動作を説明する。また、説明を簡便化するために、図１４では、メモリセルＭＣ［ｉ，ｊ］乃至メモリセルＭＣ［ｉ＋１，ｊ＋１］、メモリセルＭＲＥＦ［ｉ］、及びメモリセルＭＲＥＦ［ｉ＋１］の動作について説明する。
【０１４２】  時刻Ｔ０１乃至時刻Ｔ０４の期間は、メモリセルＭＣにアナログ信号を格納するステップである。
【０１４３】  また、時刻Ｔ０５から時刻Ｔ１０の期間は、オフセット電流回路３２にオフセットキャンセル電位を設定するステップである。
【０１４４】  時刻Ｔ１１乃至時刻Ｔ１２の期間は、列出力回路３１のオフセット回路３１ｂにリセット電位を設定するステップである。
【０１４５】  時刻Ｔ１３乃至時刻Ｔ１４の期間は、多層パーセプトロンの各階層の積和演算及び活性化関数の処理を実行し、多層ニューラルネットワークの出力を取得するステップである。
【０１４６】  時刻Ｔ０１から時刻Ｔ０２の期間について説明する。信号線ＷＤＲＥＦには、アナログ信号ＷＳＴの電位が与えられる。また、信号線ＷＤ［ｊ］には、アナログ信号ＷＳＴ−ＶＷＸ［ｉ，ｊ］の電位が与えられる。また、信号線ＷＤ［ｊ＋１］には、アナログ信号ＷＳＴ−ＶＷＸ［ｉ，ｊ＋１］の電位が与えられる。また、信号線ＲＷ［ｉ］及び信号線ＲＷ［ｉ＋１］には、アナログ信号ＶＸＳＴが基準電位として与えられる。よって、メモリセルＭＣ［ｉ，ｊ］に与えられるアナログ信号ＶＷＸ［ｉ，ｊ］、及びメモリセルＭＣ［ｉ，ｊ＋１］に与えられるアナログ信号ＶＷＸ［ｉ，ｊ＋１］は、それぞれ異なる重み係数を示している。
【０１４７】  信号線ＷＷ［ｉ］には、デジタル信号“Ｈ”が与えられ、信号線ＷＷ［ｉ＋１］には、デジタル信号“Ｌ”が与えられる。また、信号線ＥＲには、デジタル信号“Ｌ”が与えられ、信号線ＲＳＴ［ｉ］には、デジタル信号“Ｈ”が与えられる。
【０１４８】  よって、ノードＦＮＲＥＦ［ｉ］には、アナログ信号ＷＳＴの電位が保持される。また、ノードＦＮ１［ｉ，ｊ］には、アナログ信号ＷＳＴ−ＶＷＸ［ｉ，ｊ］の電位が保持される。また、ノードＦＮ１［ｉ，ｊ＋１］には、アナログ信号ＷＳＴ−ＶＷＸ［ｉ，ｊ＋１］の電位が保持される。
【０１４９】  メモリセルＭＣ［ｉ，ｊ］が有するトランジスタ４２には、ノードＦＮ１［ｉ，ｊ］に与えられたアナログ信号ＷＳＴ−ＶＷＸ［ｉ，ｊ］の電位に応じたオフセット電流が流れる。また、メモリセルＭＣ［ｉ，ｊ＋１］が有するトランジスタ４２には、ノードＦＮ１［ｉ，ｊ＋１］に与えられたアナログ信号ＷＳＴ−ＶＷＸ［ｉ，ｊ＋１］の電位によってオフセット電流が流れる。
【０１５０】  時刻Ｔ０３から時刻Ｔ０４の期間について説明する。信号線ＷＷ［ｉ］には、デジタル信号“Ｌ”が与えられる。また、信号線ＷＷ［ｉ＋１］には、デジタル信号“Ｈ”が与えられる。また、信号線ＷＤ［ｊ］には、アナログ信号ＷＳＴ−ＶＷＸ［ｉ＋１，ｊ］が与えられる。また、信号線ＷＤ［ｊ＋１］には、アナログ信号ＷＳＴ−ＶＷＸ［ｉ＋１，ｊ＋１］が与えられる。また、信号線ＷＤＲＥＦには、アナログ信号ＷＳＴが与えられる。よって、メモリセルＭＣ［ｉ＋１，ｊ］に与えられるアナログ信号ＶＷＸ［ｉ＋１，ｊ］、及びメモリセルＭＣ［ｉ＋１，ｊ＋１］に与えられるアナログ信号ＶＷＸ［ｉ＋１，ｊ＋１］は、それぞれ異なる重み係数を示している。
【０１５１】  よって、ノードＦＮＲＥＦ［ｉ＋１］には、アナログ信号ＷＳＴの電位が保持される。ノードＦＮ１［ｉ＋１，ｊ］には、アナログ信号ＷＳＴ−ＶＷＸ［ｉ＋１，ｊ］の電位が保持される。ノードＦＮ１［ｉ＋１，ｊ＋１］には、アナログ信号ＷＳＴ−ＶＷＸ［ｉ＋１，ｊ＋１］の電位が保持される。
【０１５２】  従って、信号線ＳＬ［ｊ］には、メモリセルＭＣ［ｉ，ｊ］と、メモリセルＭＣ［ｉ＋１，ｊ］と、が有するそれぞれのトランジスタ４２に流れる電流の和がオフセット電流として流れる。また、信号線ＳＬ［ｊ＋１］には、メモリセルＭＣ［ｉ，ｊ＋１］と、メモリセルＭＣ［ｉ＋１，ｊ＋１］と、が有するそれぞれのトランジスタ４２に流れる電流の和がオフセット電流として流れる。
【０１５３】  時刻Ｔ０５から時刻Ｔ０６の期間について説明する。ここでは、説明を簡便化するために信号線ＳＬ［ｊ］と電気的に接続されたオフセット電流回路３２［ｊ］に着目して説明する。
【０１５４】  電流吸込み回路３２ａ［ｊ］は、信号線ＯＲＰにデジタル信号“Ｈ”が与えられると配線ＣＯＭに与えられた電位で初期化される。また、電流供給回路３２ｂ［ｊ］は、信号線ＯＲＭにデジタル信号“Ｈ”が与えられると配線ＶＤＤに与えられた電位で初期化される。
【０１５５】  時刻Ｔ０７から時刻Ｔ０８の期間について説明する。まず、電流供給回路３２ｂ［ｊ］によってオフセット成分をキャンセルする。信号線ＳＬ［ｊ］には、重み係数によって発生したオフセット電流が流れている。電流源回路３０が有するカレントミラー回路から供給される基準電流となるようにオフセット電流をキャンセルするための電流が供給される。
【０１５６】  時刻Ｔ０９から時刻Ｔ１０の期間について説明する。続いて、電流吸込み回路３２ａ［ｊ］によってオフセット成分をキャンセルする。信号線ＳＬ［ｊ］には、重み係数によって発生したオフセット電流が流れている。電流源回路３０が有するカレントミラー回路から供給される基準電流となるようにオフセット電流をキャンセルするための電流が吸い込まれる。
【０１５７】  時刻Ｔ１１から時刻Ｔ１２の期間について説明する。スイッチＳ１は、信号線ＥＲにデジタル信号“Ｈ”が与えられるとオン状態になる。信号線ＳＬ［ｊ］には、重み係数によって発生したオフセット電流がキャンセルされた電流が出力されている。電流電圧変換素子Ｒ２は、信号線ＳＬ［ｊ］に流れる電流を初期化電位に変換する。このとき、信号ＲＳＴによってノードＦＮ２には、配線ＯＰＲを介してリセット電位ＶＰＲが与えられている。よって、オフセット回路３１ｂが有する容量素子５２には、ノードＦＮ２［ｊ］に与えられたリセット電位ＶＰＲを基準とした初期化電位を保持することができる。
【０１５８】  時刻Ｔ１２から時刻Ｔ１３の期間について説明する。ノードＦＮ２［ｊ］は、信号線ＲＳＴにデジタル信号“Ｌ”を与えることでフローティングノードになる。従って、ノードＦＮ２［ｊ］は、信号線ＳＬ［ｊ］の電位の変化を検知することができる。
【０１５９】  時刻Ｔ１３から時刻Ｔ１４の期間について説明する。信号線ＳＬ［ｊ］に着目して説明をする。メモリセルＭＣ［ｉ，ｊ］には、信号線ＲＷ［ｉ］を介して入力データ電位が与えられる。ノードＦＮ１［ｉ，ｊ］は、ノードＦＮ１［ｉ，ｊ］に保持されているアナログ信号ＷＳＴ−ＶＷＸ［ｉ，ｊ］に容量素子５１を介して入力データ電位を加えることができる。よって、トランジスタ４２のゲートには、アナログ信号ＷＳＴ−ＶＷＸ［ｉ，ｊ］に入力データ電位が加えた電位が与えられる。従って、トランジスタ４２は、トランジスタ４２のコンダクタンスを用いて入力データ電位と重み電位とを乗算し、乗算結果を第１の電流に変換することができる。さらに、メモリセルＭＣ［ｉ＋１，ｊ］は、信号線ＲＷ［ｉ＋１］によって入力データ電位が与えられ、入力データ電位と重み電位とを乗算することができる。
【０１６０】  信号線ＳＬ［ｊ］には、メモリセルＭＣ［ｉ，ｊ］及びメモリセルＭＣ［ｉ＋１，ｊ］で乗算される第１の電流が出力され、第２の電流は、それぞれの第１の電流を加算することで生成される。第２の電流は、電流電圧変換素子Ｒ２によって第１の電位に変換され、オフセット回路３１ｂの容量素子５２を介してノードＦＮ２［ｊ］に与えられる。ノードＦＮ２［ｊ］が検出する加算結果は、オフセット回路３１ｂが有するソースフォロワ回路によって、出力端子ＯＰＳに第４の電位として出力される。
【０１６１】  オフセット電流回路３２は、積和演算結果が重み電位によって生成されるオフセット電流をキャンセルすることで、演算結果が重み電位によって検出範囲から外れることを防ぐことができる。さらに、ニューロン２３は、スイッチＳ１を備えることで演算に寄与しない期間の消費電力を抑えることができる。
【０１６２】  以上、本実施の形態で示す構成、方法は、他の実施の形態で示す構成、方法と適宜組み合わせて用いることができる。
【０１６３】（実施の形態３）
本実施の形態では、半導体装置の断面構造について説明する。本実施の形態では、図９（Ｂ）で示したメモリセルに対応する半導体装置の断面構造について説明する。
【０１６４】  図９（Ｂ）で説明したメモリセルＭＣＢは、図１５、図１７、及び図１８に示すようにトランジスタ５３、トランジスタ４１Ｂ、容量素子５１を有する。
【０１６５】［断面構造１］
図１５に示す半導体装置は、トランジスタ５３と、トランジスタ４１Ｂ、及び容量素子５１を有している。トランジスタ４１Ｂはトランジスタ５３の上方に設けられ、容量素子５１はトランジスタ５３、及びトランジスタ４１Ｂの上方に設けられている。
【０１６６】  トランジスタ４１Ｂは、酸化物半導体を有する半導体層にチャネルが形成されるトランジスタ（ＯＳトランジスタ）である。トランジスタ４１Ｂの説明については後述するが、図１５に示す構造のＯＳトランジスタを設けることで、微細化しても歩留まり良くトランジスタ４１Ｂを形成できる。このようなＯＳトランジスタを半導体装置に用いることで、微細化又は高集積化を図ることができる。ＯＳトランジスタは、オフ電流が小さいため、これを半導体装置に用いることにより長期にわたり記憶内容を保持することが可能である。つまり、リフレッシュ動作を必要としない、あるいは、リフレッシュ動作の頻度が極めて少ないため、半導体装置の消費電力を十分に低減することができる。さらに、リセット回路が有するトランジスタ４３は、ＯＳトランジスタであることが好ましい。ノードＦＮ２は、トランジスタ４３のオフ電流が小さいためノードＦＮ２に保持された第１の電位の変動を抑えることができる。
【０１６７】  図１５及び図１６において、信号線ＳＬはトランジスタ５３のソース又はドレインの一方と電気的に接続され、配線ＣＯＭはトランジスタ５３のソース又はドレインの他方と電気的に接続されている。また、信号線ＷＤはトランジスタ４１Ｂのソース又はドレインの一方と電気的に接続され、信号線ＷＷはトランジスタ４１Ｂの第１のゲートと電気的に接続され、配線ＢＧはトランジスタ４１Ｂの第２のゲートと電気的に接続されている。そして、トランジスタ５３のゲート、及びトランジスタ４１Ｂのソース又はドレインの他方は、容量素子５１の電極の一方と電気的に接続され、信号線ＲＷは容量素子５１の電極の他方と電気的に接続されている。
【０１６８】  トランジスタ５３は、基板３１１上に設けられ、導電体３１６、絶縁体３１５、基板３１１の一部からなる半導体領域３１３、及びソース領域又はドレイン領域として機能する低抵抗領域３１４ａ、及び低抵抗領域３１４ｂを有する。
【０１６９】  トランジスタ５３は、ｐチャネル型、あるいはｎチャネル型のいずれでもよい。
【０１７０】  半導体領域３１３のチャネルが形成される領域、その近傍の領域、ソース領域、又はドレイン領域となる低抵抗領域３１４ａ、及び低抵抗領域３１４ｂなどにおいて、シリコン系半導体などの半導体を含むことが好ましく、単結晶シリコンを含むことが好ましい。又は、Ｇｅ（ゲルマニウム）、ＳｉＧｅ（シリコンゲルマニウム）、ＧａＡｓ（ガリウムヒ素）、ＧａＡｌＡｓ（ガリウムアルミニウムヒ素）などを有する材料で形成してもよい。結晶格子に応力を与え、格子間隔を変化させることで有効質量を制御したシリコンを用いた構成としてもよい。又はＧａＡｓとＧａＡｌＡｓ等を用いることで、トランジスタ５３をＨＥＭＴ（Ｈｉｇｈ  Ｅｌｅｃｔｒｏｎ  Ｍｏｂｉｌｉｔｙ  Ｔｒａｎｓｉｓｔｏｒ）としてもよい。
【０１７１】  低抵抗領域３１４ａ、及び低抵抗領域３１４ｂは、半導体領域３１３に適用される半導体材料に加え、ヒ素、リンなどのｎ型の導電性を付与する元素、又はホウ素などのｐ型の導電性を付与する元素を含む。
【０１７２】  ゲート電極として機能する導電体３１６は、ヒ素、リンなどのｎ型の導電性を付与する元素、もしくはホウ素などのｐ型の導電性を付与する元素を含むシリコンなどの半導体材料、金属材料、合金材料、又は金属酸化物材料などの導電性材料を用いることができる。
【０１７３】  なお、導電体の材料により、仕事関数を定めることで、しきい値電圧を調整することができる。具体的には、導電体に窒化チタンや窒化タンタルなどの材料を用いることが好ましい。さらに導電性と埋め込み性を両立するために導電体にタングステンやアルミニウムなどの金属材料を積層として用いることが好ましく、特にタングステンを用いることが耐熱性の点で好ましい。
【０１７４】  なお、図１５に示すトランジスタ５３は一例であり、その構造に限定されず、回路構成や駆動方法に応じて適切なトランジスタを用いればよい。
【０１７５】  トランジスタ５３を覆って、絶縁体３２０、絶縁体３２２、絶縁体３２４、及び絶縁体３２６が順に積層して設けられている。
【０１７６】  絶縁体３２０、絶縁体３２２、絶縁体３２４、及び絶縁体３２６として、例えば、酸化シリコン、酸化窒化シリコン、窒化酸化シリコン、窒化シリコン、酸化アルミニウム、酸化窒化アルミニウム、窒化酸化アルミニウム、窒化アルミニウムなどを用いればよい。
【０１７７】  絶縁体３２２は、その下方に設けられるトランジスタ５３などによって生じる段差を平坦化する平坦化膜として機能する。例えば、絶縁体３２２の上面は、平坦性を高めるために化学機械研磨（ＣＭＰ）法等を用いた平坦化処理により平坦化されていてもよい。
【０１７８】  また、絶縁体３２４には、基板３１１、又はトランジスタ５３などから、トランジスタ４１Ｂが設けられる領域に、水素や不純物が拡散しないようなバリア性を有する膜を用いることが好ましい。
【０１７９】  水素に対するバリア性を有する膜の一例として、例えば、ＣＶＤ法で形成した窒化シリコンを用いることができる。ここで、トランジスタ４１Ｂ等の酸化物半導体を有する半導体素子に、水素が拡散することで、該半導体素子の特性が低下する場合がある。従って、トランジスタ４１Ｂと、トランジスタ５３との間に、水素の拡散を抑制する膜を用いることが好ましい。水素の拡散を抑制する膜とは、具体的には、水素の脱離量が少ない膜とする。
【０１８０】  水素の脱離量は、例えば、昇温脱離ガス分析法（ＴＤＳ）などを用いて分析することができる。例えば、絶縁体３２４の水素の脱離量は、ＴＤＳ分析において、５０℃から５００℃の範囲において、水素原子に換算した脱離量が、絶縁体３２４の面積当たりに換算して、１０×１０１５ａｔｏｍｓ／ｃｍ２以下、好ましくは５×１０１５ａｔｏｍｓ／ｃｍ２以下であればよい。
【０１８１】  なお、絶縁体３２６は、絶縁体３２４よりも誘電率が低いことが好ましい。例えば、絶縁体３２６の比誘電率は４未満が好ましく、３未満がより好ましい。また例えば、絶縁体３２６の比誘電率は、絶縁体３２４の比誘電率の０．７倍以下が好ましく、０．６倍以下がより好ましい。誘電率が低い材料を層間膜とすることで、配線間に生じる寄生容量を低減することができる。
【０１８２】  また、絶縁体３２０、絶縁体３２２、絶縁体３２４、及び絶縁体３２６には容量素子５１、又はトランジスタ４１Ｂと電気的に接続する導電体３２８、及び導電体３３０等が埋め込まれている。なお、導電体３２８、及び導電体３３０はプラグ、又は配線としての機能を有する。また、プラグ又は配線として機能する導電体は、複数の構造をまとめて同一の符号を付与する場合がある。また、本明細書等において、配線と、配線と電気的に接続するプラグとが一体物であってもよい。すなわち、導電体の一部が配線として機能する場合、及び導電体の一部がプラグとして機能する場合もある。
【０１８３】  各プラグ、及び配線（導電体３２８、および導電体３３０等）の材料としては、金属材料、合金材料、金属窒化物材料、又は金属酸化物材料などの導電性材料を、単層又は積層して用いることができる。耐熱性と導電性を両立するタングステンやモリブデンなどの高融点材料を用いることが好ましく、タングステンを用いることが好ましい。又は、アルミニウムや銅などの低抵抗導電性材料で形成することが好ましい。低抵抗導電性材料を用いることで配線抵抗を低くすることができる。
【０１８４】  絶縁体３２６、及び導電体３３０上に、配線層を設けてもよい。例えば、図１５において、絶縁体３５０、絶縁体３５２、及び絶縁体３５４が順に積層して設けられている。また、絶縁体３５０、絶縁体３５２、及び絶縁体３５４には、導電体３５６が形成されている。導電体３５６は、プラグ、又は配線として機能する。なお導電体３５６は、導電体３２８、及び導電体３３０と同様の材料を用いて設けることができる。
【０１８５】  なお、例えば、絶縁体３５０は、絶縁体３２４と同様に、水素に対するバリア性を有する絶縁体を用いることが好ましい。また、導電体３５６は、水素に対するバリア性を有する導電体を含むことが好ましい。特に、水素に対するバリア性を有する絶縁体３５０が有する開口部に、水素に対するバリア性を有する導電体が形成される。当該構成により、トランジスタ５３とトランジスタ４１Ｂとは、バリア層により分離することができ、トランジスタ５３からトランジスタ４１Ｂへの水素の拡散を抑制することができる。
【０１８６】  なお、水素に対するバリア性を有する導電体としては、例えば、窒化タンタル等を用いるとよい。また、窒化タンタルと導電性が高いタングステンを積層することで、配線としての導電性を保持したまま、トランジスタ５３からの水素の拡散を抑制することができる。この場合、水素に対するバリア性を有する窒化タンタル層が、水素に対するバリア性を有する絶縁体３５０と接する構造であることが好ましい。
【０１８７】  絶縁体３５４、及び導電体３５６上に、配線層を設けてもよい。例えば、図１５において、絶縁体３６０、絶縁体３６２、及び絶縁体３６４が順に積層して設けられている。また、絶縁体３６０、絶縁体３６２、及び絶縁体３６４には、導電体３６６が形成されている。導電体３６６は、プラグ、又は配線として機能する。なお導電体３６６は、導電体３２８、及び導電体３３０と同様の材料を用いて設けることができる。
【０１８８】  なお、例えば、絶縁体３６０は、絶縁体３２４と同様に、水素に対するバリア性を有する絶縁体を用いることが好ましい。また、導電体３６６は、水素に対するバリア性を有する導電体を含むことが好ましい。特に、水素に対するバリア性を有する絶縁体３６０が有する開口部に、水素に対するバリア性を有する導電体が形成される。当該構成により、トランジスタ５３とトランジスタ４１Ｂとは、バリア層により分離することができ、トランジスタ５３からトランジスタ４１Ｂへの水素の拡散を抑制することができる。
【０１８９】  絶縁体３６４、及び導電体３６６上に、配線層を設けてもよい。例えば、図１５において、絶縁体３７０、絶縁体３７２、及び絶縁体３７４が順に積層して設けられている。また、絶縁体３７０、絶縁体３７２、及び絶縁体３７４には、導電体３７６が形成されている。導電体３７６は、プラグ、又は配線として機能する。なお導電体３７６は、導電体３２８、及び導電体３３０と同様の材料を用いて設けることができる。
【０１９０】  なお、例えば、絶縁体３７０は、絶縁体３２４と同様に、水素に対するバリア性を有する絶縁体を用いることが好ましい。また、導電体３７６は、水素に対するバリア性を有する導電体を含むことが好ましい。特に、水素に対するバリア性を有する絶縁体３７０が有する開口部に、水素に対するバリア性を有する導電体が形成される。当該構成により、トランジスタ５３とトランジスタ４１Ｂとは、バリア層により分離することができ、トランジスタ５３からトランジスタ４１Ｂへの水素の拡散を抑制することができる。
【０１９１】  絶縁体３７４、及び導電体３７６上に、配線層を設けてもよい。例えば、図１５において、絶縁体３８０、絶縁体３８２、及び絶縁体３８４が順に積層して設けられている。また、絶縁体３８０、絶縁体３８２、及び絶縁体３８４には、導電体３８６が形成されている。導電体３８６は、プラグ、又は配線として機能する。なお導電体３８６は、導電体３２８、及び導電体３３０と同様の材料を用いて設けることができる。
【０１９２】  なお、例えば、絶縁体３８０は、絶縁体３２４と同様に、水素に対するバリア性を有する絶縁体を用いることが好ましい。また、導電体３８６は、水素に対するバリア性を有する導電体を含むことが好ましい。特に、水素に対するバリア性を有する絶縁体３８０が有する開口部に、水素に対するバリア性を有する導電体が形成される。当該構成により、トランジスタ５３とトランジスタ４１Ｂとは、バリア層により分離することができ、トランジスタ５３からトランジスタ４１Ｂへの水素の拡散を抑制することができる。
【０１９３】  絶縁体３８４上には絶縁体２１０、絶縁体２１２、絶縁体２１４、及び絶縁体２１６が、順に積層して設けられている。絶縁体２１０、絶縁体２１２、絶縁体２１４、及び絶縁体２１６のいずれかは、酸素や水素に対してバリア性のある物質を用いることが好ましい。
【０１９４】  例えば、絶縁体２１０、及び絶縁体２１４には、例えば、基板３１１、又はトランジスタ５３を設ける領域などから、トランジスタ４１Ｂを設ける領域に、水素や不純物が拡散しないようなバリア性を有する膜を用いることが好ましい。従って、絶縁体３２４と同様の材料を用いることができる。
【０１９５】  水素に対するバリア性を有する膜の一例として、ＣＶＤ法で形成した窒化シリコンを用いることができる。ここで、トランジスタ４１Ｂ等の酸化物半導体を有する半導体素子に、水素が拡散することで、該半導体素子の特性が低下する場合がある。従って、トランジスタ４１Ｂと、トランジスタ５３との間に、水素の拡散を抑制する膜を用いることが好ましい。水素の拡散を抑制する膜とは、具体的には、水素の脱離量が少ない膜とする。
【０１９６】  また、水素に対するバリア性を有する膜として、例えば、絶縁体２１０、及び絶縁体２１４には、酸化アルミニウム、酸化ハフニウム、酸化タンタルなどの金属酸化物を用いることが好ましい。
【０１９７】  特に、酸化アルミニウムは、酸素、及びトランジスタの電気特性の変動要因となる水素、水分などの不純物、の両方に対して膜を透過させない遮断効果が高い。従って、酸化アルミニウムは、トランジスタの作製工程中及び作製後において、水素、水分などの不純物のトランジスタ４１Ｂへの混入を防止することができる。また、トランジスタ４１Ｂを構成する酸化物からの酸素の放出を抑制することができる。そのため、トランジスタ４１Ｂに対する保護膜として用いることに適している。
【０１９８】  また、例えば、絶縁体２１２、及び絶縁体２１６には、絶縁体３２０と同様の材料を用いることができる。また、比較的誘電率が低い材料を層間膜とすることで、配線間に生じる寄生容量を低減することができる。例えば、絶縁体２１２、及び絶縁体２１６として、酸化シリコン膜や酸化窒化シリコン膜などを用いることができる。
【０１９９】  また、絶縁体２１０、絶縁体２１２、絶縁体２１４、及び絶縁体２１６には、導電体２１８、及びトランジスタ４１Ｂを構成する導電体（導電体２０５）等が埋め込まれている。なお、導電体２１８は、容量素子５１、又はトランジスタ５３と電気的に接続するプラグ、又は配線としての機能を有する。導電体２１８は、導電体３２８、及び導電体３３０と同様の材料を用いて設けることができる。
【０２００】  特に、絶縁体２１０、及び絶縁体２１４と接する領域の導電体２１８は、酸素、水素、及び水に対するバリア性を有する導電体であることが好ましい。当該構成により、トランジスタ５３とトランジスタ４１Ｂとは、酸素、水素、及び水に対するバリア性を有する層で分離することができ、トランジスタ５３からトランジスタ４１Ｂへの水素の拡散を抑制することができる。
【０２０１】  絶縁体２１４の上方には、トランジスタ４１Ｂが設けられている。なお図１５に示すトランジスタ４１Ｂは一例であり、その構造に限定されず、回路構成や駆動方法に応じて適切なトランジスタを用いればよい。
【０２０２】  トランジスタ４１Ｂの上方には、絶縁体２８０を設ける。絶縁体２８０には、過剰酸素領域が形成されていることが好ましい。特に、トランジスタ４１Ｂに酸化物半導体を用いる場合、トランジスタ４１Ｂ近傍の層間膜などに、過剰酸素領域を有する絶縁体を設けることで、トランジスタ４１Ｂが有する酸化物２３０の酸素欠損を低減し、信頼性を向上させることができる。また、トランジスタ４１Ｂを覆う絶縁体２８０は、その下方の凹凸形状を被覆する平坦化膜として機能してもよい。なお、絶縁体２８０は、トランジスタ４１Ｂの上部に形成される絶縁体２８１と絶縁体２２５に接して設けられる。
【０２０３】  過剰酸素領域を有する絶縁体として、具体的には、加熱により一部の酸素が脱離する酸化物材料を用いることが好ましい。加熱により酸素を脱離する酸化物とは、ＴＤＳ分析にて、酸素原子に換算しての酸素の脱離量が１．０×１０１８ａｔｏｍｓ／ｃｍ３以上、好ましくは３．０×１０２０ａｔｏｍｓ／ｃｍ３以上である酸化物膜である。なお、上記ＴＤＳ分析時における膜の表面温度としては１００℃以上７００℃以下、又は１００℃以上５００℃以下の範囲が好ましい。
【０２０４】  例えばこのような材料として、酸化シリコン又は酸化窒化シリコンを含む材料を用いることが好ましい。又は、金属酸化物を用いることもできる。なお、本明細書中において、酸化窒化シリコンとは、その組成として窒素よりも酸素の含有量が多い材料を指し、窒化酸化シリコンとは、その組成として、酸素よりも窒素の含有量が多い材料を示す。
【０２０５】  絶縁体２８０上には、絶縁体２８２が設けられている。絶縁体２８２は、酸素や水素に対してバリア性のある物質を用いることが好ましい。従って、絶縁体２８２には、絶縁体２１４と同様の材料を用いることができる。例えば、絶縁体２８２には、酸化アルミニウム、酸化ハフニウム、酸化タンタルなどの金属酸化物を用いることが好ましい。
【０２０６】  特に、酸化アルミニウムは、酸素、及びトランジスタの電気特性の変動要因となる水素、水分などの不純物、の両方に対して膜を透過させない遮断効果が高い。従って、酸化アルミニウムは、トランジスタの作製工程中及び作製後において、水素、水分などの不純物のトランジスタ４１Ｂへの混入を防止することができる。また、トランジスタ４１Ｂを構成する酸化物からの酸素の放出を抑制することができる。そのため、トランジスタ４１Ｂに対する保護膜として用いることに適している。
【０２０７】  また、絶縁体２８２上には、絶縁体２８６が設けられている。絶縁体２８６は、絶縁体３２０と同様の材料を用いることができる。また、比較的誘電率が低い材料を層間膜とすることで、配線間に生じる寄生容量を低減することができる。例えば、絶縁体２８６として、酸化シリコン膜や酸化窒化シリコン膜などを用いることができる。
【０２０８】  また、絶縁体２２０、絶縁体２２２、絶縁体２２４、絶縁体２８０、絶縁体２８２、及び絶縁体２８６には、導電体２４６、及び導電体２４８等が埋め込まれている。
【０２０９】  導電体２４６、及び導電体２４８は、容量素子５１、トランジスタ４１Ｂ、又はトランジスタ５３と電気的に接続するプラグ、又は配線として機能する。導電体２４６、及び導電体２４８は、導電体３２８、及び導電体３３０と同様の材料を用いて設けることができる。
【０２１０】  続いて、トランジスタ４１Ｂの上方には、容量素子５１が設けられている。容量素子５１は、導電体１１０と、導電体１２０、及び絶縁体１３０とを有する。
【０２１１】  また、導電体２４６、及び導電体２４８上に、導電体１１２を設けてもよい。導電体１１２は、容量素子５１、トランジスタ４１Ｂ、又はトランジスタ５３と電気的に接続するプラグ、又は配線として機能する。導電体１１０は、容量素子５１の電極として機能する。なお、導電体１１２、及び導電体１１０は、同時に形成することができる。
【０２１２】  導電体１１２、及び導電体１１０には、モリブデン、チタン、タンタル、タングステン、アルミニウム、銅、クロム、ネオジム、スカンジウムから選ばれた元素を含む金属膜、又は上述した元素を成分とする金属窒化物膜（窒化タンタル膜、窒化チタン膜、窒化モリブデン膜、窒化タングステン膜）等を用いることができる。又は、インジウム錫酸化物、酸化タングステンを含むインジウム酸化物、酸化タングステンを含むインジウム亜鉛酸化物、酸化チタンを含むインジウム酸化物、酸化チタンを含むインジウム錫酸化物、インジウム亜鉛酸化物、酸化ケイ素を添加したインジウム錫酸化物などの導電性材料を適用することもできる。
【０２１３】  図１５では、導電体１１２、及び導電体１１０は単層構造を示したが、当該構成に限定されず、２層以上の積層構造でもよい。例えば、バリア性を有する導電体と導電性が高い導電体との間に、バリア性を有する導電体、及び導電性が高い導電体に対して密着性が高い導電体を形成してもよい。
【０２１４】  また、導電体１１２、及び導電体１１０上に、容量素子５１の誘電体として、絶縁体１３０を設ける。絶縁体１３０は、例えば、酸化シリコン、酸化窒化シリコン、窒化酸化シリコン、窒化シリコン、酸化アルミニウム、酸化窒化アルミニウム、窒化酸化アルミニウム、窒化アルミニウム、酸化ハフニウム、酸化窒化ハフニウム、窒化酸化ハフニウム、窒化ハフニウムなどを用いればよく、積層又は単層で設けることができる。
【０２１５】  例えば、絶縁体１３０には、酸化窒化シリコンなどの絶縁耐力が大きい材料を用いるとよい。当該構成により、容量素子５１は、絶縁体１３０を有することで、絶縁耐力が向上し、容量素子５１の静電破壊を抑制することができる。
【０２１６】  絶縁体１３０上に、導電体１１０と重畳するように、導電体１２０を設ける。なお、導電体１２０は、金属材料、合金材料、又は金属酸化物材料などの導電性材料を用いることができる。耐熱性と導電性を両立するタングステンやモリブデンなどの高融点材料を用いることが好ましく、特にタングステンを用いることが好ましい。また、導電体などの他の構造と同時に形成する場合は、低抵抗金属材料であるＣｕ（銅）やＡｌ（アルミニウム）等を用いればよい。
【０２１７】  導電体１２０、及び絶縁体１３０上には、絶縁体１５０が設けられている。絶縁体１５０は、絶縁体３２０と同様の材料を用いて設けることができる。また、絶縁体１５０は、その下方の凹凸形状を被覆する平坦化膜として機能してもよい。
【０２１８】  以上が構成例についての説明である。本構成を用いることで、酸化物半導体を有するトランジスタを用いた半導体装置において、電気特性の変動を抑制すると共に、信頼性を向上させることができる。又は、酸化物半導体を有するトランジスタを用いた半導体装置において、消費電力を低減することができる。又は、酸化物半導体を有するトランジスタを用いた半導体装置において、微細化又は高集積化を図ることができる。又は、微細化又は高集積化された半導体装置を生産性良く提供することができる。
【０２１９】＜トランジスタ４１Ｂ＞
上述したトランジスタ４１Ｂに適用可能なＯＳトランジスタの一例について説明する。
【０２２０】  図１６（Ａ）は、トランジスタ４１Ｂの断面図であり、トランジスタ４１Ｂのチャネル幅方向の断面図でもある。
【０２２１】  図１６（Ａ）に示すように、トランジスタ４１Ｂは、絶縁体２１２の上に配置された絶縁体２２４と、絶縁体２２４の上に配置された酸化物４０６ａと、酸化物４０６ａの上面の少なくとも一部に接して配置された酸化物４０６ｂと、酸化物４０６ａの上面の少なくとも一部に接して配置された酸化物４０６ｃと、酸化物４０６ｃの上に配置された絶縁体４１２と、絶縁体４１２の上に配置された導電体４０４ａと、導電体４０４ａの上に配置された導電体４０４ｂと、絶縁体４１２、導電体４０４ａ、及び導電体４０４ｂの側面に接して配置された側壁絶縁体４１８と、酸化物４０６ｂ、４０６ｃの上面と側面に接し、かつ側壁絶縁体４１８の側面に接して配置された絶縁体２２５と、を有する。
【０２２２】  以下において、酸化物４０６ａ、４０６ｂ、４０６ｃをまとめて酸化物４０６という場合がある。導電体４０４ａ及び導電体４０４ｂをまとめて導電体４０４という場合がある。導電体３１０ａ及び導電体３１０ｂをまとめて導電体３１０という場合がある。
【０２２３】  また、トランジスタ４１は、絶縁体４０１の上に配置された絶縁体２１６と、絶縁体２１６に埋め込まれるように配置された導電体３１０と、を有する構成にしてもよい。
【０２２４】  導電体３１０は、絶縁体２１６の開口の内壁に接して導電体３１０ａが形成され、さらに内側に導電体３１０ｂが形成されている。ここで、導電体３１０ａ及び導電体３１０ｂの上面の高さと、絶縁体２１６の上面の高さは同程度にできる。
【０２２５】  導電体４０４は、トップゲートとして機能でき、導電体３１０は、バックゲートとして機能できる。バックゲートの電位は、トップゲートと同電位としてもよいし、接地電位や、任意の電位としてもよい。また、バックゲートの電位をトップゲートと連動させず独立して変化させることで、トランジスタのしきい値電圧を変化させることができる。
【０２２６】  ここで、導電体３１０ａは、水又は水素などの不純物の透過を抑制する機能を有する（透過しにくい）導電性材料（水又は水素などの不純物の透過を抑制する機能を有する導電性材料ということもできる。）を用いることが好ましい。例えば、タンタル、窒化タンタル、ルテニウム又は酸化ルテニウムなどを用いることが好ましく、単層又は積層とすればよい。これにより、絶縁体２１４より下層から水素、水などの不純物が導電体３１０を通じて上層に拡散するのを抑制することができる。
【０２２７】  また、導電体３１０ｂは、タングステン、銅、又はアルミニウムを主成分とする導電性材料を用いることが好ましい。また、図示しないが、導電体３１０ｂは積層構造としても良く、例えば、チタン、窒化チタンと上記導電性材料との積層としてもよい。
【０２２８】  絶縁体２１４は、下層から水又は水素などの不純物がトランジスタに混入するのを防ぐバリア絶縁膜として機能できる。絶縁体２１４は、水又は水素などの不純物の透過を抑制する機能を有する絶縁性材料を用いることが好ましく、例えば、酸化アルミニウムなどを用いることが好ましい。これにより、水素、水などの不純物が絶縁体２１４より上層に拡散するのを抑制することができる。
【０２２９】  また、絶縁体２１４は、酸素（例えば、酸素原子または酸素分子など）の透過を抑制する機能を有する絶縁性材料を用いることが好ましい。これにより、絶縁体２２４などに含まれる酸素が下方に拡散するのを抑制することができる。
【０２３０】  また、絶縁体２２２は、水又は水素などの不純物、及び酸素の透過を抑制する機能を有する絶縁性材料を用いることが好ましく、例えば、酸化アルミニウム又は酸化ハフニウムなどを用いることが好ましい。これにより、絶縁体２２２より下層から水素、水などの不純物が絶縁体２２２より上層に拡散するのを抑制することができる。さらに、絶縁体２２４などに含まれる酸素が下方に拡散するのを抑制することができる。
【０２３１】  また、絶縁体２２４中の水、水素又は窒素酸化物などの不純物濃度が低減されていることが好ましい。例えば、絶縁体２２４の水素の脱離量は、昇温脱離ガス分析法（ＴＤＳ（Ｔｈｅｒｍａｌ  Ｄｅｓｏｒｐｔｉｏｎ  Ｓｐｅｃｔｒｏｓｃｏｐｙ））において、５０℃から５００℃の範囲において、水素分子に換算した脱離量が、絶縁体２２４の面積当たりに換算して、２×１０１５ｍｏｌｅｃｕｌｅｓ／ｃｍ２以下、好ましくは１×１０１５ｍｏｌｅｃｕｌｅｓ／ｃｍ２以下、より好ましくは５×１０１４ｍｏｌｅｃｕｌｅｓ／ｃｍ２以下であればよい。また、絶縁体２２４は、加熱により酸素が放出される絶縁体を用いて形成することが好ましい。
【０２３２】  絶縁体４１２は、第１のゲート絶縁膜として機能でき、絶縁体２２０、絶縁体２２２、及び絶縁体２２４は、第２のゲート絶縁膜として機能できる。
【０２３３】  また図１６（Ｂ）には、図１６（Ａ）とは異なる構造のトランジスタ４１ＢＴＣの断面図を図示する。図１６（Ｂ）は、図１６（Ａ）と同様に、トランジスタ４１ＢＴＣのチャネル幅方向の断面図でもある。
【０２３４】  酸化物４０６は、酸化物半導体として機能する金属酸化物（以下、酸化物半導体ともいう）を用いることが好ましい。金属酸化物としては、エネルギーギャップが２ｅＶ以上、好ましくは２．５ｅＶ以上のものを用いることが好ましい。このように、エネルギーギャップの広い金属酸化物を用いることで、トランジスタのオフ電流を低減することができる。
【０２３５】  酸化物半導体を用いたトランジスタは、非導通状態において極めてリーク電流が小さいため、低消費電力の半導体装置が提供できる。また、酸化物半導体は、スパッタリング法などを用いて成膜できるため、高集積型の半導体装置を構成するトランジスタに用いることができる。
【０２３６】  酸化物半導体は、少なくともインジウム又は亜鉛を含むことが好ましい。特にインジウム及び亜鉛を含むことが好ましい。また、それらに加えて、アルミニウム、ガリウム、イットリウム又はスズなどが含まれていることが好ましい。また、ホウ素、シリコン、チタン、鉄、ニッケル、ゲルマニウム、ジルコニウム、モリブデン、ランタン、セリウム、ネオジム、ハフニウム、タンタル、タングステン、又はマグネシウムなどから選ばれた一種、又は複数種が含まれていてもよい。
【０２３７】  ここでは、酸化物半導体が、インジウム、元素Ｍ及び亜鉛を有するＩｎ−Ｍ−Ｚｎ酸化物である場合を考える。なお、元素Ｍは、アルミニウム、ガリウム、イットリウム又はスズなどとする。そのほかの元素Ｍに適用可能な元素としては、ホウ素、シリコン、チタン、鉄、ニッケル、ゲルマニウム、ジルコニウム、モリブデン、ランタン、セリウム、ネオジム、ハフニウム、タンタル、タングステン、マグネシウムなどがある。ただし、元素Ｍとして、前述の元素を複数組み合わせても構わない場合がある。
【０２３８】  なお、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【０２３９】  ここで、酸化物４０６ａに用いる金属酸化物において、構成元素中の元素Ｍの原子数比が、酸化物４０６ｂに用いる金属酸化物における、構成元素中の元素Ｍの原子数比より大きいことが好ましい。また、酸化物４０６ａに用いる金属酸化物において、Ｉｎに対する元素Ｍの原子数比が、酸化物４０６ｂに用いる金属酸化物における、Ｉｎに対する元素Ｍの原子数比より大きいことが好ましい。
【０２４０】  以上のような金属酸化物を酸化物４０６ａとして用いて、酸化物４０６ａの伝導帯下端のエネルギーが、酸化物４０６ｂの伝導帯下端のエネルギーが低い領域における、伝導帯下端のエネルギーより高くなることが好ましい。また、言い換えると、酸化物４０６ａの電子親和力が、酸化物４０６ｂの伝導帯下端のエネルギーが低い領域における電子親和力より小さいことが好ましい。
【０２４１】  ここで、酸化物４０６ａ及び酸化物４０６ｂにおいて、伝導帯下端のエネルギー準位はなだらかに変化する。換言すると、連続的に変化又は連続接合するともいうことができる。このようにするためには、酸化物４０６ａと酸化物４０６ｂとの界面において形成される混合層の欠陥準位密度を低くするとよい。
【０２４２】  具体的には、酸化物４０６ａと酸化物４０６ｂが、酸素以外に共通の元素を有する（主成分とする）ことで、欠陥準位密度が低い混合層を形成することができる。例えば、酸化物４０６ｂがＩｎ−Ｇａ−Ｚｎ酸化物の場合、酸化物４０６ａとして、Ｉｎ−Ｇａ−Ｚｎ酸化物、Ｇａ−Ｚｎ酸化物、酸化ガリウムなどを用いるとよい。
【０２４３】  このとき、キャリアの主たる経路は酸化物４０６ｂに形成されるナローギャップ部分となる。酸化物４０６ａと酸化物４０６ｂとの界面における欠陥準位密度を低くすることができるため、界面散乱によるキャリア伝導への影響が小さく、高いオン電流が得られる。
【０２４４】  また、酸化物４０６は、領域４２６ａ、領域４２６ｂ、及び領域４２６ｃを有する。領域４２６ａは、図１６（Ａ）に示すように、領域４２６ｂと領域４２６ｃに挟まれる。領域４２６ｂ及び領域４２６ｃは、絶縁体２２５の成膜により低抵抗化された領域であり、領域４２６ａより導電性が高い領域となる。領域４２６ｂ及び領域４２６ｃは、絶縁体２２５の成膜雰囲気に含まれる、水素又は窒素などの不純物元素が添加される。これにより、酸化物４０６ｂの絶縁体２２５と重なる領域を中心に、添加された不純物元素により酸素欠損が形成され、さらに当該不純物元素が酸素欠損に入り込むことで、キャリア密度が高くなり、低抵抗化される。
【０２４５】  よって、領域４２６ｂ及び領域４２６ｃは、領域４２６ａより、水素及び窒素の少なくとも一方の濃度が大きくなることが好ましい。水素又は窒素の濃度は、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）などを用いて測定すればよい。
【０２４６】  なお、領域４２６ｂ及び領域４２６ｃは、酸素欠損を形成する元素、又は酸素欠損と結合する元素を添加されることで低抵抗化される。このような元素としては、代表的には水素、ホウ素、炭素、窒素、フッ素、リン、硫黄、塩素、チタン、希ガス等が挙げられる。また、希ガス元素の代表例としては、ヘリウム、ネオン、アルゴン、クリプトン、及びキセノン等がある。よって、領域４２６ｂ及び領域４２６ｃは、上記元素の一つ又は複数を含む構成にすればよい。
【０２４７】  領域４２６ｂ及び領域４２６ｃは、酸化物４０６の少なくとも絶縁体２２５と重なる領域に形成される。ここで、酸化物４０６ｂの領域４２６ｂ及び領域４２６ｃの一方は、ソース領域として機能でき、他方はドレイン領域として機能できる。また、酸化物４０６ｂの領域４２６ａはチャネル形成領域として機能できる。
【０２４８】  絶縁体４１２は、酸化物４０６ｂの上面に接して配置されることが好ましい。絶縁体４１２は、加熱により酸素が放出される絶縁体を用いて形成することが好ましい。このような絶縁体４１２を酸化物４０６ｂの上面に接して設けることにより、酸化物４０６ｂに効果的に酸素を供給することができる。また、絶縁体２２４と同様に、絶縁体４１２中の水又は水素などの不純物濃度が低減されていることが好ましい。絶縁体４１２の膜厚は、１ｎｍ以上２０ｎｍ以下とするのが好ましく、例えば、１０ｎｍ程度の膜厚にすればよい。
【０２４９】  絶縁体４１２は酸素を含むことが好ましい。例えば、昇温脱離ガス分光法分析（ＴＤＳ分析）にて、１００℃以上７００℃以下又は１００℃以上５００℃以下の表面温度の範囲で、酸素分子の脱離量を絶縁体４１２の面積当たりに換算して、１×１０１４ｍｏｌｅｃｕｌｅｓ／ｃｍ２以上、好ましくは２×１０１４ｍｏｌｅｃｕｌｅｓ／ｃｍ２以上、より好ましくは４×１０１４ｍｏｌｅｃｕｌｅｓ／ｃｍ２以上であればよい。
【０２５０】  絶縁体４１２及び導電体４０４は、酸化物４０６ｂと重なる領域を有する。また、絶縁体４１２、導電体４０４ａ、及び導電体４０４ｂの側面は略一致することが好ましい。
【０２５１】  導電体４０４ａとして、導電性酸化物を用いることが好ましい。例えば、酸化物４０６ａ乃至酸化物４０６ｃとして用いることができる金属酸化物を用いることができる。特に、Ｉｎ−Ｇａ−Ｚｎ系酸化物のうち、導電性が高い、金属の原子数比が［Ｉｎ］：［Ｇａ］：［Ｚｎ］＝４：２：３から４．１、及びその近傍値のものを用いることが好ましい。このような導電体４０４ａを設けることで、導電体４０４ｂへの酸素の透過を抑制し、酸化によって導電体４０４ｃの電気抵抗値が増加することを防ぐことができる。
【０２５２】  また、このような導電性酸化物を、スパッタリング法を用いて成膜することで、絶縁体４１２に酸素を添加し、酸化物４０６ｂに酸素を供給することが可能となる。これにより、酸化物４０６の領域４２６ａの酸素欠損を低減することができる。
【０２５３】  導電体４０４ｂは、例えばタングステンなどの金属を用いることができる。また、導電体４０４ｂとして、導電体４０４ａに窒素などの不純物を添加して導電体４０４ａの導電性を向上できる導電体を用いてもよい。例えば導電体４０４ｂは、窒化チタンなどを用いることが好ましい。また、導電体４０４ｂを、窒化チタンなどの金属窒化物と、その上にタングステンなどの金属を積層した構造にしてもよい。
【０２５４】  酸化物４０６は、酸化物半導体として機能する金属酸化物（以下、酸化物半導体ともいう）を用いることが好ましい。
【０２５５】  酸化物半導体は、少なくともインジウム又は亜鉛を含むことが好ましい。特にインジウム及び亜鉛を含むことが好ましい。また、それらに加えて、アルミニウム、ガリウム、イットリウム又はスズなどが含まれていることが好ましい。また、ホウ素、シリコン、チタン、鉄、ニッケル、ゲルマニウム、ジルコニウム、モリブデン、ランタン、セリウム、ネオジム、ハフニウム、タンタル、タングステン、又はマグネシウムなどから選ばれた一種、又は複数種が含まれていてもよい。
【０２５６】  ここでは、酸化物半導体が、インジウム、元素Ｍ及び亜鉛を有するＩｎＭＺｎＯである場合を考える。なお、元素Ｍは、アルミニウム、ガリウム、イットリウム又はスズなどとする。そのほかの元素Ｍに適用可能な元素としては、ホウ素、シリコン、チタン、鉄、ニッケル、ゲルマニウム、ジルコニウム、モリブデン、ランタン、セリウム、ネオジム、ハフニウム、タンタル、タングステン、マグネシウムなどがある。ただし、元素Ｍとして、前述の元素を複数組み合わせても構わない場合がある。
【０２５７】  なお、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【０２５８】＜断面構造１の変形例１＞
また、本実施の形態の変形例の一例を、図１７に示す。図１７は、図１５と、トランジスタ５３の構成が異なる。
【０２５９】  図１７に示すトランジスタ５３はチャネルが形成される半導体領域３１３（基板３１１の一部）が凸形状を有する。また、半導体領域３１３の側面及び上面を、絶縁体３１５を介して、導電体３１６が覆うように設けられている。なお、導電体３１６は仕事関数を調整する材料を用いてもよい。このようなトランジスタ５３は半導体基板の凸部を利用していることからＦＩＮ型トランジスタとも呼ばれる。なお、凸部の上部に接して、凸部を形成するためのマスクとして機能する絶縁体を有していてもよい。また、ここでは半導体基板の一部を加工して凸部を形成する場合を示したが、ＳＯＩ基板を加工して凸形状を有する半導体膜を形成してもよい。
【０２６０】  以上が変形例についての説明である。本構成を用いることで、酸化物半導体を有するトランジスタを用いた半導体装置において、電気特性の変動を抑制すると共に、信頼性を向上させることができる。又は、酸化物半導体を有するトランジスタを用いた半導体装置において、消費電力を低減することができる。又は、酸化物半導体を有するトランジスタを用いた半導体装置において、微細化又は高集積化を図ることができる。又は、微細化又は高集積化された半導体装置を生産性良く提供することができる。
【０２６１】＜断面構造１の変形例２＞
また、本実施の形態の変形例の一例を、図１８に示す。図１８は、図１５と、容量素子５１の構成が異なる。
【０２６２】  図１８に示す半導体装置では、絶縁体２８６の上に絶縁体２８７が設けられ、導電体１１２が絶縁体２８７に埋め込まれ、絶縁体２８７の上に絶縁体１５５が設けられ、絶縁体１５５に形成された複数の開口に導電体１１０が設けられ、導電体１１０の上に絶縁体１３０が設けられ、絶縁体１３０の上に、導電体１１０と重なるように導電体１２０が設けられる。また、トランジスタ４１Ｂと電気的に接続される導電体２４８と、トランジスタ５３と電気的に接続される導電体２４８と、を接続するように導電体１１２を設け、当該導電体１１２に接して導電体１１０を設ければよい。また、絶縁体２８７、絶縁体１５５は、絶縁体３２０と同様の材料を用いることができる。
【０２６３】  図１８に示す容量素子５１において、絶縁体１５５に形成された開口の中で、導電体１１０と、絶縁体１３０と、導電体１２０が重なるので、導電体１１０、絶縁体１３０、及び導電体１２０は被覆性の良好な膜にすることが好ましい。このため、導電体１１０、絶縁体１３０、及び導電体１２０は、ＣＶＤ法、ＡＬＤ法などの良好な段差被覆性を有する成膜方法を用いて成膜することが好ましい。
【０２６４】  容量素子５１は、絶縁体１５５に設けられた開口の形状に沿って形成されるため、当該開口が深く形成されるほど静電容量を増加させることができる。また、当該開口の数を増やすほど静電容量を増加させることができる。このような容量素子５１を形成することにより、容量素子５１の上面積を増やすことなく、静電容量を増加させることができる。
【０２６５】  以上が変形例についての説明である。本構成を用いることで、酸化物半導体を有するトランジスタを用いた半導体装置において、電気特性の変動を抑制すると共に、信頼性を向上させることができる。又は、酸化物半導体を有するトランジスタを用いた半導体装置において、消費電力を低減することができる。又は、酸化物半導体を有するトランジスタを用いた半導体装置において、微細化又は高集積化を図ることができる。又は、微細化又は高集積化された半導体装置を生産性良く提供することができる。
【０２６６】  以上、本実施の形態に示す構成、方法などは、他の実施の形態に示す構成、方法などと適宜組み合わせて用いることができる。
【０２６７】（実施の形態４）
本実施の形態では、半導体装置の一形態を、図１９−図２１を用いて説明する。
【０２６８】＜半導体ウエハ、チップ＞
図１９（Ａ）は、ダイシング処理が行なわれる前の基板７１１の上面図を示している。基板７１１としては、例えば、半導体基板（「半導体ウエハ」ともいう。）を用いることができる。基板７１１上には、複数の回路領域７１２が設けられている。回路領域７１２には、本発明の一態様に係る半導体装置などを設けることができる。
【０２６９】  複数の回路領域７１２は、それぞれが分離領域７１３に囲まれている。分離領域７１３と重なる位置に分離線（「ダイシングライン」ともいう。）７１４が設定される。分離線７１４に沿って基板７１１を切断することで、回路領域７１２を含むチップ７１５を基板７１１から切り出すことができる。図１９（Ｂ）にチップ７１５の拡大図を示す。
【０２７０】  また、分離領域７１３に導電層、半導体層などを設けてもよい。分離領域７１３に導電層、半導体層などを設けることで、ダイシング工程時に生じうるＥＳＤを緩和し、ダイシング工程に起因する歩留まりの低下を防ぐことができる。また、一般にダイシング工程は、基板の冷却、削りくずの除去、帯電防止などを目的として、炭酸ガスなどを溶解させて比抵抗を下げた純水を切削部に供給しながら行なう。分離領域７１３に導電層、半導体層などを設けることで、当該純水の使用量を削減することができる。よって、半導体装置の生産コストを低減することができる。また、半導体装置の生産性を高めることができる。
【０２７１】＜電子部品＞
チップ７１５を用いた電子部品の一例について、図２０（Ａ）及び図２０（Ｂ）、図２１（Ａ）−（Ｅ）を用いて説明する。なお、電子部品は、半導体パッケージ、又はＩＣ用パッケージともいう。電子部品は、端子取り出し方向、端子の形状などに応じて、複数の規格、名称などが存在する。
【０２７２】  電子部品は、組み立て工程（後工程）において、上記実施の形態に示した半導体装置と該半導体装置以外の部品が組み合わされて完成する。
【０２７３】  図２０（Ａ）に示すフローチャートを用いて、後工程について説明する。前工程において基板７１１に本発明の一態様に係る半導体装置などを形成した後、基板７１１の裏面（半導体装置などが形成されていない面）を研削する「裏面研削工程」を行なう（ステップＳ７２１）。研削により基板７１１を薄くすることで、電子部品の小型化を図ることができる。
【０２７４】  次に、基板７１１を複数のチップ７１５に分離する「ダイシング工程」を行う（ステップＳ７２２）。そして、分離したチップ７１５を個々のリードフレーム上に接合する「ダイボンディング工程」を行う（ステップＳ７２３）。ダイボンディング工程におけるチップ７１５とリードフレームとの接合は、樹脂による接合、又はテープによる接合など、適宜製品に応じて適した方法を選択する。なお、リードフレームに代えてインターポーザ基板上にチップ７１５を接合してもよい。
【０２７５】  次いで、リードフレームのリードとチップ７１５上の電極とを、金属の細線（ワイヤー）で電気的に接続する「ワイヤーボンディング工程」を行う（ステップＳ７２４）。金属の細線には、銀線、金線などを用いることができる。また、ワイヤーボンディングは、例えば、ボールボンディング、又はウェッジボンディングを用いることができる。
【０２７６】  ワイヤーボンディングされたチップ７１５は、エポキシ樹脂などで封止される「封止工程（モールド工程）」が施される（ステップＳ７２５）。封止工程を行うことで電子部品の内部が樹脂で充填され、チップ７１５とリードを接続するワイヤーを機械的な外力から保護することができ、また水分、埃などによる特性の劣化（信頼性の低下）を低減することができる。
【０２７７】  次いで、リードフレームのリードをめっき処理する「リードめっき工程」を行なう（ステップＳ７２６）。めっき処理によりリードの錆を防止し、後にプリント基板に実装する際のはんだ付けをより確実に行うことができる。次いで、リードを切断及び成形加工する「成形工程」を行なう（ステップＳ７２７）。
【０２７８】  次いで、パッケージの表面に印字処理（マーキング）を施す「マーキング工程」を行なう（ステップＳ７２８）。そして外観形状の良否、動作不良の有無などを調べる「検査工程」（ステップＳ７２９）を経て、電子部品が完成する。
【０２７９】  また、完成した電子部品の斜視模式図を図２０（Ｂ）に示す。図２０（Ｂ）では、電子部品の一例として、ＱＦＰ（Ｑｕａｄ  Ｆｌａｔ  Ｐａｃｋａｇｅ）の斜視模式図を示している。図２０（Ｂ）に示す電子部品７５０は、リード７５５及びチップ７１５を有する。電子部品７５０は、チップ７１５を複数有していてもよい。
【０２８０】  図２０（Ｂ）に示す電子部品７５０は、例えばプリント基板７５２に実装される。このような電子部品７５０が複数組み合わされて、それぞれがプリント基板７５２上で電気的に接続されることで電子部品が実装された基板（実装基板７５４）が完成する。完成した実装基板７５４は、電子機器などに用いられる。
【０２８１】  図２０（Ｂ）に示す電子部品７５０の適用例について説明する。電子部品７５０は、メモリカード（例えば、ＳＤカード）、ＵＳＢメモリ（ＵＳＢ；Ｕｎｉｖｅｒｓａｌ  Ｓｅｒｉａｌ  Ｂｕｓ）、ＳＳＤ（Ｓｏｌｉｄ  Ｓｔａｔｅ  Ｄｒｉｖｅ）等の各種のリムーバブル記憶装置に適用することができる。図２１（Ａ）−（Ｅ）を用いて、リムーバブル記憶装置の幾つかの構成例について説明する。
【０２８２】  図２１（Ａ）はＵＳＢメモリの模式図である。ＵＳＢメモリ５１００は、筐体５１０１、キャップ５１０２、ＵＳＢコネクタ５１０３及び基板５１０４を有する。基板５１０４は、筐体５１０１に収納されている。基板５１０４には、電子部品であるメモリチップ等が設けられている。例えば、基板５１０４には、メモリチップ５１０５、コントローラチップ５１０６が取り付けられている。メモリチップ５１０５は、先の実施の形態で説明したメモリセルアレイ２６１０、ローデコーダ２６２１、ワード線ドライバ回路２６２２、ビット線ドライバ回路２６３０、カラムデコーダ２６３１、プリチャージ回路２６３２、センスアンプ２６３３、出力回路２６４０などが組み込まれている。コントローラチップ５１０６は、プロセッサ、ワークメモリ、ＥＣＣ回路等が組み込まれている。なお、メモリチップ５１０５とコントローラチップ５１０６とのそれぞれの回路構成は、上述の記載に限定せず、状況に応じて、又は場合によって、適宜回路構成を変更してもよい。例えば、ローデコーダ２６２１、ワード線ドライバ回路２６２２、ビット線ドライバ回路２６３０、カラムデコーダ２６３１、プリチャージ回路２６３２、センスアンプ２６３３をメモリチップ５１０５でなく、コントローラチップ５１０６に組み込んだ構成としてもよい。ＵＳＢコネクタ５１０３が外部装置と接続するためのインターフェースとして機能する。
【０２８３】  図２１（Ｂ）はＳＤカードの外観の模式図であり、図２１（Ｃ）は、ＳＤカードの内部構造の模式図である。ＳＤカード５１１０は、筐体５１１１、コネクタ５１１２及び基板５１１３を有する。コネクタ５１１２が外部装置と接続するためのインターフェースとして機能する。基板５１１３は筐体５１１１に収納されている。基板５１１３には、電子部品であるメモリチップ等が設けられている。例えば、基板５１１３には、メモリチップ５１１４、コントローラチップ５１１５が取り付けられている。メモリチップ５１１４には、先の実施の形態で説明したメモリセルアレイ２６１０、ローデコーダ２６２１、ワード線ドライバ回路２６２２、ビット線ドライバ回路２６３０、カラムデコーダ２６３１、プリチャージ回路２６３２、センスアンプ２６３３、出力回路２６４０などが組み込まれている。コントローラチップ５１１５には、プロセッサ、ワークメモリ、ＥＣＣ回路等が組み込まれている。なお、メモリチップ５１１４とコントローラチップ５１１５とのそれぞれの回路構成は、上述の記載に限定せず、状況に応じて、又は場合によって、適宜回路構成を変更してもよい。例えば、ローデコーダ２６２１、ワード線ドライバ回路２６２２、ビット線ドライバ回路２６３０、カラムデコーダ２６３１、プリチャージ回路２６３２、センスアンプ２６３３をメモリチップ５１１４でなく、コントローラチップ５１１５に組み込んだ構成としてもよい。
【０２８４】  基板５１１３の裏面側にもメモリチップ５１１４を設けることで、ＳＤカード５１１０の容量を増やすことができる。また、無線通信機能を備えた無線チップを基板５１１３に設けてもよい。これによって、外部装置とＳＤカード５１１０との間で無線通信を行うことができ、メモリチップ５１１４のデータの読み出し、書き込みが可能となる。
【０２８５】  図２１（Ｄ）はＳＳＤの外観の模式図であり、図２１（Ｅ）は、ＳＳＤの内部構造の模式図である。ＳＳＤ５１５０は、筐体５１５１、コネクタ５１５２及び基板５１５３を有する。コネクタ５１５２が外部装置と接続するためのインターフェースとして機能する。基板５１５３は筐体５１５１に収納されている。基板５１５３には、電子部品であるメモリチップ等が設けられている。例えば、基板５１５３には、メモリチップ５１５４、メモリチップ５１５５、コントローラチップ５１５６が取り付けられている。メモリチップ５１５４には、先の実施の形態で説明したメモリセルアレイ２６１０、ローデコーダ２６２１、ワード線ドライバ回路２６２２、ビット線ドライバ回路２６３０、カラムデコーダ２６３１、プリチャージ回路２６３２、センスアンプ２６３３、出力回路２６４０などが組み込まれている。基板５１５３の裏面側にもメモリチップ５１５４を設けることで、ＳＳＤ５１５０の容量を増やすことができる。メモリチップ５１５５にはワークメモリが組み込まれている。例えば、メモリチップ５１５５には、ＤＲＡＭチップを用いればよい。コントローラチップ５１５６には、プロセッサ、ＥＣＣ回路などが組み込まれている。なお、メモリチップ５１５４と、メモリチップ５１５５と、コントローラチップ５１１５と、のそれぞれの回路構成は、上述の記載に限定せず、状況に応じて、又は場合によって、適宜回路構成を変更しても良い。例えば、コントローラチップ５１５６にも、ワークメモリとして機能するメモリを設けてもよい。
【０２８６】  なお、本実施の形態は、本明細書で示す他の実施の形態と適宜組み合わせることができる。
【０２８７】（実施の形態５）
＜電子機器＞
本発明の一態様に係る半導体装置を有する電子部品は、様々な電子機器に用いることができる。図２２に、本発明の一態様に係る電子部品を用いた電子機器の具体例を示す。
【０２８８】  図２２（Ａ）は、自動車の一例を示す外観図である。自動車２９８０は、車体２９８１、車輪２９８２、ダッシュボード２９８３、及びライト２９８４等を有する。また、自動車２９８０は、アンテナ、バッテリなどを備える。
【０２８９】  図２２（Ｂ）に示す情報端末２９１０は、筐体２９１１、表示部２９１２、マイク２９１７、スピーカ部２９１４、カメラ２９１３、外部接続部２９１６、及び操作スイッチ２９１５等を有する。表示部２９１２には、可撓性基板が用いられた表示パネル及びタッチスクリーンを備える。また、情報端末２９１０は、筐体２９１１の内側にアンテナ、バッテリなどを備える。情報端末２９１０は、例えば、スマートフォン、携帯電話、タブレット型情報端末、タブレット型パーソナルコンピュータ、電子書籍端末等として用いることができる。
【０２９０】  図２２（Ｃ）に示すノート型パーソナルコンピュータ２９２０は、筐体２９２１、表示部２９２２、キーボード２９２３、及びポインティングデバイス２９２４等を有する。また、ノート型パーソナルコンピュータ２９２０は、筐体２９２１の内側にアンテナ、バッテリなどを備える。
【０２９１】  図２２（Ｄ）に示すビデオカメラ２９４０は、筐体２９４１、筐体２９４２、表示部２９４３、操作スイッチ２９４４、レンズ２９４５、及び接続部２９４６等を有する。操作スイッチ２９４４及びレンズ２９４５は筐体２９４１に設けられており、表示部２９４３は筐体２９４２に設けられている。また、ビデオカメラ２９４０は、筐体２９４１の内側にアンテナ、バッテリなどを備える。そして、筐体２９４１と筐体２９４２は、接続部２９４６により接続されており、筐体２９４１と筐体２９４２の間の角度は、接続部２９４６により変えることが可能な構造となっている。筐体２９４１に対する筐体２９４２の角度によって、表示部２９４３に表示される画像の向きの変更や、画像の表示／非表示の切り換えを行うことができる。
【０２９２】  図２２（Ｅ）にバングル型の情報端末の一例を示す。情報端末２９５０は、筐体２９５１、及び表示部２９５２等を有する。また、情報端末２９５０は、筐体２９５１の内側にアンテナ、バッテリなどを備える。表示部２９５２は、曲面を有する筐体２９５１に支持されている。表示部２９５２には、可撓性基板を用いた表示パネルを備えているため、フレキシブルかつ軽くて使い勝手の良い情報端末２９５０を提供することができる。
【０２９３】  図２２（Ｆ）に腕時計型の情報端末の一例を示す。情報端末２９６０は、筐体２９６１、表示部２９６２、バンド２９６３、バックル２９６４、操作スイッチ２９６５、入出力端子２９６６などを備える。また、情報端末２９６０は、筐体２９６１の内側にアンテナ、バッテリなどを備える。情報端末２９６０は、移動電話、電子メール、文章閲覧及び作成、音楽再生、インターネット通信、コンピュータゲームなどの種々のアプリケーションを実行することができる。
【０２９４】  表示部２９６２の表示面は湾曲しており、湾曲した表示面に沿って表示を行うことができる。また、表示部２９６２はタッチセンサを備え、指やスタイラスなどで画面に触れることで操作することができる。例えば、表示部２９６２に表示されたアイコン２９６７に触れることで、アプリケーションを起動することができる。操作スイッチ２９６５は、時刻設定のほか、電源のオン、オフ動作、無線通信のオン、オフ動作、マナーモードの実行及び解除、省電力モードの実行及び解除など、様々な機能を持たせることができる。例えば、情報端末２９６０に組み込まれたオペレーティングシステムにより、操作スイッチ２９６５の機能を設定することもできる。
【０２９５】  また、情報端末２９６０は、通信規格された近距離無線通信を実行することが可能である。例えば無線通信可能なヘッドセットと相互通信することによって、ハンズフリーで通話することもできる。また、情報端末２９６０は入出力端子２９６６を備え、他の情報端末とコネクターを介して直接データのやりとりを行うことができる。また入出力端子２９６６を介して充電を行うこともできる。なお、充電動作は入出力端子２９６６を介さずに無線給電により行ってもよい。
【０２９６】  例えば、本発明の一態様の半導体装置を有する電子部品は、上述した電子機器の制御情報や、制御プログラムなどを長期間保持することができる。本発明の一態様に係る半導体装置を用いることで、信頼性の高い電子機器を実現することができる。
【０２９７】  本実施の形態は、他の実施の形態などに記載した構成と適宜組み合わせて実施することが可能である。
【０２９８】（本明細書等の記載に関する付記）
以上の実施の形態、及び実施の形態における各構成の説明について、以下に付記する。
【０２９９】  各実施の形態に示す構成は、他の実施の形態に示す構成と適宜組み合わせて、本発明の一態様とすることができる。また、１つの実施の形態の中に、複数の構成例が示される場合は、互い構成例を適宜組み合わせることが可能である。
【０３００】  なお、ある一つの実施の形態の中で述べる内容（一部の内容でもよい）は、その実施の形態で述べる別の内容（一部の内容でもよい）、及び／又は、一つもしくは複数の別の実施の形態で述べる内容（一部の内容でもよい）に対して、適用、組み合わせ、又は置き換えなどを行うことができる。
【０３０１】  なお、実施の形態の中で述べる内容とは、各々の実施の形態において、様々な図を用いて述べる内容、又は明細書に記載される文章を用いて述べる内容のことである。
【０３０２】  なお、ある一つの実施の形態において述べる図（一部でもよい）は、その図の別の部分、その実施の形態において述べる別の図（一部でもよい）、及び／又は、一つもしくは複数の別の実施の形態において述べる図（一部でもよい）に対して、組み合わせることにより、さらに多くの図を構成させることができる。
【０３０３】  また本明細書等において、ブロック図では、構成要素を機能毎に分類し、互いに独立したブロックとして示している。しかしながら実際の回路等においては、構成要素を機能毎に切り分けることが難しく、一つの回路に複数の機能が係わる場合や、複数の回路にわたって一つの機能が関わる場合があり得る。そのため、ブロック図のブロックは、明細書で説明した構成要素に限定されず、状況に応じて適切に言い換えることができる。
【０３０４】  また、図面において、大きさ、層の厚さ、又は領域は、説明の便宜上任意の大きさに示したものである。よって、必ずしもそのスケールに限定されない。なお図面は明確性を期すために模式的に示したものであり、図面に示す形状又は値などに限定されない。例えば、ノイズによる信号、電圧、もしくは電流のばらつき、又は、タイミングのずれによる信号、電圧、もしくは電流のばらつきなどを含むことが可能である。
【０３０５】  本明細書等において、トランジスタの接続関係を説明する際、ソースとドレインとの一方を、「ソース又はドレインの一方」（又は第１電極、又は第１端子）と表記し、ソースとドレインとの他方を「ソース又はドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。
【０３０６】  また、本明細書等において「電極」や「配線」の用語は、これらの構成要素を機能的に限定するものではない。例えば、「電極」は「配線」の一部として用いられることがあり、その逆もまた同様である。さらに、「電極」や「配線」の用語は、複数の「電極」や「配線」が一体となって形成されている場合なども含む。
【０３０７】  また、本明細書等において、電圧と電位は、適宜言い換えることができる。電圧は、基準となる電位からの電位差のことであり、例えば基準となる電位をグラウンド電圧（接地電圧）とすると、電圧を電位に言い換えることができる。グラウンド電位は必ずしも０Ｖを意味するとは限らない。なお電位は相対的なものであり、基準となる電位によっては、配線等に与える電位を変化させる場合がある。
【０３０８】  なお本明細書等において、「膜」、「層」などの語句は、場合によっては、又は、状況に応じて、互いに入れ替えることが可能である。例えば、「導電層」という用語を、「導電膜」という用語に変更することが可能な場合がある。又は、例えば、「絶縁膜」という用語を、「絶縁層」という用語に変更することが可能な場合がある。
【０３０９】  本明細書等において、スイッチとは、導通状態（オン状態）、又は、非導通状態（オフ状態）になり、電流を流すか流さないかを制御する機能を有するものをいう。又は、スイッチとは、電流を流す経路を選択して切り替える機能を有するものをいう。
【０３１０】  一例としては、電気的スイッチ又は機械的なスイッチなどを用いることができる。つまり、スイッチは、電流を制御できるものであればよく、特定のものに限定されない。
【０３１１】  電気的なスイッチの一例としては、トランジスタ（例えば、バイポーラトランジスタ、ＭＯＳトランジスタなど）、ダイオード（例えば、ＰＮダイオード、ＰＩＮダイオード、ショットキーダイオード、ＭＩＭ（Ｍｅｔａｌ  Ｉｎｓｕｌａｔｏｒ  Ｍｅｔａｌ）ダイオード、ＭＩＳ（Ｍｅｔａｌ  Ｉｎｓｕｌａｔｏｒ  Ｓｅｍｉｃｏｎｄｕｃｔｏｒ）ダイオード、ダイオード接続のトランジスタなど）、又はこれらを組み合わせた論理回路などがある。
【０３１２】  なお、スイッチとしてトランジスタを用いる場合、トランジスタの「導通状態」とは、トランジスタのソースとドレインが電気的に短絡されているとみなせる状態をいう。また、トランジスタの「非導通状態」とは、トランジスタのソースとドレインが電気的に遮断されているとみなせる状態をいう。なおトランジスタを単なるスイッチとして動作させる場合には、トランジスタの極性（導電型）は特に限定されない。
【０３１３】  機械的なスイッチの一例としては、デジタルマイクロミラーデバイス（ＤＭＤ）のように、ＭＥＭＳ（マイクロ・エレクトロ・メカニカル・システム）技術を用いたスイッチがある。そのスイッチは、機械的に動かすことが可能な電極を有し、その電極が動くことによって、導通と非導通とを制御して動作する。
【０３１４】  本明細書等において、チャネル長とは、例えば、トランジスタの上面図において、半導体（又はトランジスタがオン状態のときに半導体の中で電流の流れる部分）とゲートとが重なる領域、又はチャネルが形成される領域における、ソースとドレインとの間の距離をいう。
【０３１５】  本明細書等において、チャネル幅とは、例えば、半導体（又はトランジスタがオン状態のときに半導体の中で電流の流れる部分）とゲート電極とが重なる領域、又はチャネルが形成される領域における、ソースとドレインとが向かい合っている部分の長さをいう。
【０３１６】  本明細書等において、ＡとＢとが接続されている、とは、ＡとＢとが直接接続されているものの他、電気的に接続されているものを含むものとする。ここで、ＡとＢとが電気的に接続されているとは、ＡとＢとの間で、何らかの電気的作用を有する対象物が存在するとき、ＡとＢとの電気信号の授受を可能とするものをいう。
【符号の説明】
【０３１７】ＦＮ１    ノード、  ＦＮ２    ノード、  ＦＮ３    ノード、  ＮＢ１    配線、  ＮＢ２    配線、  ＮＰ１    ニューロン、  ＮＰ２    ニューロン、  ＮＰ３    ニューロン、  ＮＱ１    ニューロン、  ＮＱ３    ニューロン、  Ｒ１    抵抗素子、  Ｒ２    電流電圧変換素子、  Ｓ１    スイッチ、  １０    半導体装置、  １１    入力層、  １２    中間層、  １３    出力層、  １４    出力回路、  ２０    入力レジスタ回路、  ２１    入力セレクタ回路、  ２２    デジタルアナログ変換回路、  ２３    ニューロン、  ２３ａ    シナプス回路、  ２３ｂ    メモリユニット、  ２４ａ    活性化関数回路、  ２５ａ    カラムデコーダ、  ２６    ローデコーダ、  ２７    アナログデジタル変換回路、  ２８    出力レジスタ、  ３０    電流源回路、  ３１    列出力回路、  ３１ａ    電流電圧変換回路、  ３１ｂ    オフセット回路、  ３１ｃ    オフセット回路、  ３１ｄ    比較回路、  ３２    オフセット電流回路、  ３２ａ    電流吸込み回路、  ３２ｂ    電流供給回路、  ３２ｃ    電流吸込み回路、  ３２ｄ    電流供給回路、  ４１    トランジスタ、  ４１Ｂ    トランジスタ、  ４１ＢＴＣ    トランジスタ、  ４２    トランジスタ、  ４２ｐ    トランジスタ、  ４３    トランジスタ、  ４４    トランジスタ、  ４５    トランジスタ、  ４６    トランジスタ、  ４７    トランジスタ、  ４８    トランジスタ、  ４９    トランジスタ、  ５１    容量素子、  ５２    容量素子、  ５３    トランジスタ、  ５９    トランジスタ、  ６１    トランジスタ、  ６２    トランジスタ、  ６３    トランジスタ、  ６４    容量素子、  ６５    トランジスタ、６６    トランジスタ、  ６７    トランジスタ、  ６８    容量素子、  １１０    導電体、  １１２    導電体、  １２０    導電体、  １３０    絶縁体、  １５０    絶縁体、  １５５    絶縁体、  ２０５    導電体、  ２１０    絶縁体、  ２１２    絶縁体、  ２１４    絶縁体、  ２１６    絶縁体、  ２１８    導電体、  ２２０    絶縁体、  ２２２    絶縁体、  ２２４    絶縁体、  ２２５    絶縁体、  ２３０    酸化物、  ２４６    導電体、  ２４８    導電体、  ２８０    絶縁体、  ２８１    絶縁体、  ２８２    絶縁体、  ２８６    絶縁体、  ２８７    絶縁体、  ３１０    導電体、  ３１０ａ    導電体、  ３１０ｂ    導電体、  ３１１    基板、  ３１３    半導体領域、  ３１４ａ    低抵抗領域、  ３１４ｂ    低抵抗領域、  ３１５    絶縁体、  ３１６    導電体、  ３２０    絶縁体、  ３２２    絶縁体、  ３２４    絶縁体、  ３２６    絶縁体、  ３２８    導電体、  ３３０    導電体、  ３５０    絶縁体、  ３５２    絶縁体、  ３５４    絶縁体、  ３５６    導電体、  ３６０    絶縁体、  ３６２    絶縁体、  ３６４    絶縁体、  ３６６    導電体、  ３７０    絶縁体、  ３７２    絶縁体、  ３７４    絶縁体、  ３７６    導電体、  ３８０    絶縁体、  ３８２    絶縁体、  ３８４    絶縁体、  ３８６    導電体、  ４０１    絶縁体、  ４０４    導電体、  ４０４ａ    導電体、  ４０４ｂ    導電体、  ４０４ｃ    導電体、  ４０６    酸化物、  ４０６ａ    酸化物、  ４０６ｂ    酸化物、  ４０６ｃ    酸化物、  ４１２    絶縁体、  ４１８    側壁絶縁体、  ４２６ａ    領域、  ４２６ｂ    領域、  ４２６ｃ    領域、  ７１１    基板、  ７１２    回路領域、  ７１３    分離領域、  ７１４    分離線、  ７１５    チップ、  ７５０    電子部品、  ７５２    プリント基板、  ７５４    実装基板、  ７５５    リード、  ２６１０    メモリセルアレイ、  ２６２１    ローデコーダ、  ２６２２    ワード線ドライバ回路、  ２６３０    ビット線ドライバ回路、２６３１    カラムデコーダ、  ２６３２    プリチャージ回路、  ２６３３    センスアンプ、  ２６４０    出力回路、  ２９１０    情報端末、  ２９１１    筐体、  ２９１２    表示部、  ２９１３    カメラ、  ２９１４    スピーカ部、  ２９１５    操作スイッチ、  ２９１６    外部接続部、  ２９１７    マイク、  ２９２０    ノート型パーソナルコンピュータ、  ２９２１    筐体、  ２９２２    表示部、  ２９２３    キーボード、  ２９２４    ポインティングデバイス、  ２９４０    ビデオカメラ、  ２９４１    筐体、  ２９４２    筐体、  ２９４３    表示部、  ２９４４    操作スイッチ、  ２９４５    レンズ、  ２９４６    接続部、  ２９５０    情報端末、  ２９５１    筐体、  ２９５２    表示部、  ２９６０    情報端末、  ２９６１    筐体、  ２９６２    表示部、  ２９６３    バンド、  ２９６４    バックル、  ２９６５    操作スイッチ、  ２９６６    入出力端子、  ２９６７    アイコン、  ２９８０    自動車、  ２９８１    車体、  ２９８２    車輪、  ２９８３    ダッシュボード、  ２９８４    ライト、  ５１００    ＵＳＢメモリ、  ５１０１    筐体、  ５１０２    キャップ、  ５１０３    ＵＳＢコネクタ、  ５１０４    基板、  ５１０５    メモリチップ、  ５１０６    コントローラチップ、  ５１１０    ＳＤカード、  ５１１１    筐体、  ５１１２    コネクタ、  ５１１３    基板、  ５１１４    メモリチップ、  ５１１５    コントローラチップ、  ５１５０    ＳＳＤ、  ５１５１    筐体、  ５１５２    コネクタ、  ５１５３    基板、  ５１５４    メモリチップ、  ５１５５    メモリチップ、  ５１５６    コントローラチップ
【図１】
2018189619.tif 000003
【図２】
2018189619.tif 000004
【図３】
2018189619.tif 000005
【図４】
2018189619.tif 000006
【図５】
2018189619.tif 000007
【図６】
2018189619.tif 000008
【図７】
2018189619.tif 000009
【図８】
2018189619.tif 000010
【図９】
2018189619.tif 000011
【図１０】
2018189619.tif 000012
【図１１】
2018189619.tif 000013
【図１２】
2018189619.tif 000014
【図１３】
2018189619.tif 000015
【図１４】
2018189619.tif 000016
【図１５】
2018189619.tif 000017
【図１６】
2018189619.tif 000018
【図１７】
2018189619.tif 000019
【図１８】
2018189619.tif 000020
【図１９】
2018189619.tif 000021
【図２０】
2018189619.tif 000022
【図２１】
2018189619.tif 000023
【図２２】
2018189619.tif 000024
【国際調査報告】
2018189619.tif 000025
2018189619.tif 000026